(57)【要約】【課題】  室外機及び送風装置を共通化しつつ、空気調和装置と冷凍サイクル装置のそれぞれの性能を十分に発揮させることができる複合型空気調和設備及びその運転方法を提供することを目的とする。【解決手段】  空気調和装置２に加えて冷凍サイクル装置（冷蔵装置３、冷凍装置４）を備える空調・冷蔵・冷凍設備（複合型空気調和設備）１において、冷凍サイクル装置の冷媒回路（２２，３２）を、室外熱交換器（２５，３５）の上流側で、室外熱交換器が設けられる熱交換流路（２２ａ，３２ａ）と、冷媒回路の室外熱交換器の下流側に接続されるバイパス流路（２２ｂ、３２ｂ）とに分岐された構成とする。熱交換流路とバイパス流路とを高圧コントロール弁（２７、３７）を介して接続し、冷媒回路において高圧コントロール弁の下流側への冷媒の供給圧力が維持される構成とする。【選択図】      図２
2005241090.tif 000002
【特許請求の範囲】
【請求項１】
室外熱交換器と他の構成部材とを含む冷媒回路がそれぞれ独立して設けられた空気調和装置及び冷凍サイクル装置を備える複合型空気調和設備であって、
前記各冷媒回路の前記室外熱交換器が収納される一台の室外機と、
該室外機内に外気を取り込んで前記各室外熱交換器に接触させる送風装置とを有しており、
前記冷凍サイクル装置の前記冷媒回路は、前記室外熱交換器の上流側で、前記室外熱交換器が設けられる熱交換流路と、前記冷媒回路の前記室外熱交換器の下流側に接続されるバイパス流路とに分岐されており、
前記熱交換流路と前記バイパス流路とは、高圧コントロール弁を介して接続されていて、前記高圧コントロール弁の下流側への冷媒の供給圧力が維持されるようになっていることを特徴とする複合型空気調和設備。
【請求項２】
室外熱交換器と他の構成部材とを含む冷媒回路がそれぞれ独立して設けられた空気調和装置及び冷凍サイクル装置を備える複合型空気調和設備であって、
前記各冷媒回路の前記室外熱交換器が収納される一台の室外機と、
該室外機内に外気を取り込んで前記各室外熱交換器に接触させる送風装置とを有しており、
前記冷凍サイクル装置の前記冷媒回路には、前記室外熱交換器へ供給される冷媒の圧力を測定する冷凍サイクル側冷媒圧力測定装置が設けられており、
前記冷凍サイクル装置の前記冷媒回路は、前記室外熱交換器の上流側で、前記室外熱交換器が設けられる熱交換流路と、前記冷媒回路の前記室外熱交換器の下流側に接続されるバイパス流路とに分岐されており、
前記熱交換流路には、前記室外熱交換器の下流側に、該熱交換流路内を流通する冷媒の流量を調整する第一流量制御弁が設けられており、
前記バイパス流路には、該バイパス流路内を流通する冷媒の流量を調整する第二流量制御弁が設けられていることを特徴とする複合型空気調和設備。
【請求項３】
前記冷凍サイクル側冷媒圧力測定装置の測定値に基づいて前記第一、第二流量制御弁の開度をそれぞれ制御する制御装置が設けられており、
該制御装置は、前記冷凍サイクル側冷媒圧力測定装置の測定値が下限側基準値を下回った場合には、前記第一流量制御弁の開度を小さくしつつ前記第二流量制御弁の開度を大きくする構成とされていることを特徴とする請求項２記載の複合型空気調和設備。
【請求項４】
室外熱交換器と他の構成部材とを含む冷媒回路がそれぞれ独立して設けられた空気調和装置及び冷凍サイクル装置を備える複合型空気調和設備であって、
前記各冷媒回路の前記室外熱交換器が収納される一台の室外機と、
該室外機内に外気を取り込んで前記各室外熱交換器に接触させる送風装置と、
前記冷凍サイクル装置の前記室外熱交換器に供給される冷媒の圧力を測定する冷凍サイクル側圧力測定装置と、
前記空気調和装置の暖房サイクル形成時に前記空気調和装置の前記室外熱交換器を通過した冷媒の圧力を測定する低圧側圧力測定装置と、
前記冷凍サイクル側圧力測定装置及び前記低圧側圧力測定装置のそれぞれの測定値に基づいて前記送風装置の動作を制御する制御装置とを有しており、
該制御装置は、前記空気調和装置の暖房サイクル形成時には、前記低圧側圧力測定装置の測定値が前記空気調和装置の効率的な暖房運転の行われる範囲内となりかつ前記冷凍サイクル側圧力測定装置の測定値が前記冷凍サイクル装置の効率的な運転の行われる範囲内となるように前記送風装置の送風量を制御する構成とされていることを特徴とする複合型空気調和設備。
【請求項５】
前記空気調和装置の冷房サイクル形成時に前記空気調和装置の前記室外熱交換器に供給される冷媒の圧力を測定する高圧側圧力測定装置を有し、
前記制御装置は、前記空気調和装置の冷房サイクル形成時には、前記高圧側圧力測定装置の測定値が前記空気調和装置の効率的な冷房運転の行われる範囲内となりかつ前記冷凍サイクル側圧力測定装置の測定値が前記冷凍サイクル装置の効率的な運転の行われる範囲内となるように前記送風装置の送風量を制御する構成とされていることを特徴とする請求項４記載の複合型空気調和設備。
【請求項６】
室外熱交換器と他の構成部材とを含む冷媒回路がそれぞれ独立して設けられた空気調和装置及び冷凍サイクル装置を備える複合型空気調和設備であって、
前記各冷媒回路の前記室外熱交換器が収納される一台の室外機と、
該室外機内に外気を取り込んで前記各室外熱交換器に接触させる送風装置と、
前記冷凍サイクル装置の前記室外熱交換器に供給される冷媒の圧力を測定する冷凍サイクル側圧力測定装置と、
前記空気調和装置の冷房サイクル形成時に前記空気調和装置の前記室外熱交換器に供給される冷媒の圧力を測定する高圧側圧力測定装置と、
前記冷凍サイクル側圧力測定装置及び前記高圧側圧力測定装置のそれぞれの測定値に基づいて前記送風装置の動作を制御する制御装置とを有しており、
該制御装置は、前記空気調和装置の冷房サイクル形成時には、前記高圧側圧力測定装置の測定値が前記空気調和装置の効率的な冷房運転の行われる範囲内となりかつ前記冷凍サイクル側圧力測定装置の測定値が前記冷凍サイクル装置の効率的な運転の行われる範囲内となるように前記送風装置の送風量を制御する構成とされていることを特徴とする複合型空気調和設備。
【請求項７】
前記制御装置は、前記空気調和装置のデフロスト運転時には前記送風装置を停止させ、
その後、前記冷凍サイクル側圧力測定装置の測定値が前記冷凍サイクル装置の上限側基準値を上回った場合には、前記送風装置の運転を再開することを特徴とする請求項４から６のいずれかに記載の複合型空気調和設備。
【請求項８】
室外熱交換器と他の構成部材とを含む冷媒回路がそれぞれ独立して設けられた空気調和装置及び冷凍サイクル装置を備える複合型空気調和設備であって、
前記各冷媒回路の前記室外熱交換器が収納される一台の室外機と、
該室外機内に外気を取り込んで前記各室外熱交換器に接触させる送風装置と、
該送風装置の動作を制御する制御装置と、
前記冷凍サイクル装置の前記室外熱交換器に供給される冷媒の圧力を測定する冷凍サイクル側圧力測定装置とを有しており、
該制御装置は、前記空気調和装置のデフロスト運転時には前記送風装置を停止させ、
その後、前記冷凍サイクル側圧力測定装置の測定値が上限側基準値を上回った場合には、前記送風装置の運転を再開させることを特徴とする複合型空気調和設備。
【請求項９】
室外熱交換器と他の構成部材とを含む冷媒回路がそれぞれ独立して設けられた空気調和装置及び冷凍サイクル装置を備える複合型空気調和設備であって、
前記各冷媒回路の前記室外熱交換器が収納される一台の室外機と、
該室外機内に外気を取り込んで前記各室外熱交換器に接触させる送風装置とを有しており、
前記冷凍サイクル装置の前記室外熱交換器は、複数の熱交換器ユニットに分割されており、
前記冷凍サイクル装置の前記冷媒回路には、前記各熱交換ユニットのうちの少なくとも一つに対する冷媒の流通の許容と規制とを行う弁が設けられていることを特徴とする複合型空気調和設備。
【請求項１０】
前記冷凍サイクル装置の前記冷媒回路の、前記室外熱交換器へ供給される冷媒の圧力を測定する冷凍サイクル側冷媒圧力測定装置と、
該冷凍サイクル側圧力測定装置の測定値に基づいて前記弁の動作を制御する制御装置とが設けられており、
該制御装置は、前記冷凍サイクル側圧力測定装置の測定値が下限側基準値を下回った場合には、前記弁を操作して、前記熱交換ユニットのうち前記冷媒を流通させる熱交換ユニットの数を低減する構成とされていることを特徴とする請求項９記載の複合型空気調和設備。
【請求項１１】
請求項２に記載の複合型空気調和設備の運転方法であって、
前記冷凍サイクル側冷媒圧力測定装置の測定値に基づいて前記第一、第二流量制御弁の開度をそれぞれ制御して、前記冷凍サイクル側冷媒圧力測定装置の測定値が下限側基準値を下回った場合には、前記第一流量制御弁の開度を小さくしつつ前記第二流量制御弁の開度を大きくすることを特徴とする複合型空気調和設備の運転方法。
【請求項１２】
室外熱交換器と他の構成部材とを含む冷媒回路がそれぞれ独立して設けられた空気調和装置及び冷凍サイクル装置を備え、前記各冷媒回路の前記室外熱交換器が収納される一台の室外機と、該室外機内に外気を取り込んで前記各室外熱交換器に接触させる送風装置とを有する複合型空気調和設備の運転方法であって、
前記冷凍サイクル装置の前記室外熱交換器に供給される冷媒の圧力を測定する冷凍サイクル側圧力測定装置と、
前記空気調和装置の暖房サイクル形成時に前記空気調和装置の前記室外熱交換器を通過した冷媒の圧力を測定する低圧側圧力測定装置とを設けて、
前記空気調和装置の暖房サイクル形成時には、前記低圧側圧力測定装置の測定値が前記空気調和装置の効率的な暖房運転の行われる範囲内となりかつ前記冷凍サイクル側圧力測定装置の測定値が前記冷凍サイクル装置の効率的な運転の行われる範囲内となるように前記送風装置の送風量を制御することを特徴とする複合型空気調和設備の運転方法。
【請求項１３】
室外熱交換器と他の構成部材とを含む冷媒回路がそれぞれ独立して設けられた空気調和装置及び冷凍サイクル装置を備え、前記各冷媒回路の前記室外熱交換器が収納される一台の室外機と、該室外機内に外気を取り込んで前記各室外熱交換器に接触させる送風装置とを有する複合型空気調和設備の運転方法であって、
前記冷凍サイクル装置の前記室外熱交換器に供給される冷媒の圧力を測定する冷凍サイクル側圧力測定装置と、
前記空気調和装置の冷房サイクル形成時に前記空気調和装置の前記室外熱交換器に供給される冷媒の圧力を測定する高圧側圧力測定装置とを設けて、
前記空気調和装置の冷房サイクル形成時には、前記高圧側圧力測定装置の測定値が前記空気調和装置の効率的な冷房運転の行われる範囲内となりかつ前記冷凍サイクル側圧力測定装置の測定値が前記冷凍サイクル装置の効率的な運転の行われる範囲内となるように前記送風装置の送風量を制御することを特徴とする複合型空気調和設備の運転方法。
【請求項１４】
室外熱交換器と他の構成部材とを含む冷媒回路がそれぞれ独立して設けられた空気調和装置及び冷凍サイクル装置を備え、前記各冷媒回路の前記室外熱交換器が収納される一台の室外機と、該室外機内に外気を取り込んで前記各室外熱交換器に接触させる送風装置とを有する複合型空気調和設備の運転方法であって、
前記冷凍サイクル装置の前記室外熱交換器に供給される冷媒の圧力を測定する冷凍サイクル側圧力測定装置を設けて、
前記空気調和装置のデフロスト運転時には前記送風装置を停止させ、
その後、前記冷凍サイクル側圧力測定装置の測定値が上限側基準値を上回った場合には、前記送風装置の運転を再開することを特徴とする複合型空気調和設備の運転方法。
【請求項１５】
請求項９記載の複合型空気調和設備の運転方法であって、
前記冷凍サイクル装置の前記冷媒回路の、前記室外熱交換器へ供給される冷媒の圧力を測定する冷凍サイクル側冷媒圧力測定装置を設け、
該冷凍サイクル側圧力測定装置の測定値が下限側基準値を下回った場合には、前記弁を操作して、前記熱交換ユニットのうち前記冷媒を流通させる熱交換ユニットの数を低減することを特徴とする複合型空気調和設備の運転方法。
【発明の詳細な説明】
【技術分野】
【０００１】
本発明は、複合型空気調和設備及びその運転方法に関するものである。
【背景技術】
【０００２】
例えば、大型店舗やコンビニエンスストア等には、店舗内の暖房または冷房を行う空気調和装置に加えて、飲料水や食品等を冷蔵状態で保存または陳列する冷蔵装置、及び氷やアイスクリーム、冷凍食品等を冷凍状態で保存または陳列する冷凍装置等の冷凍サイクル装置が備えられている。
このように空気調和装置及び冷凍サイクル装置を備える店舗には、例えば後記の特許文献１に記載の複合型空気調和システムが用いられる。
この複合型空気調和システムは、空調機側室内ユニットと冷凍機側室内ユニットとを同一の室外ユニット（室外機）に接続して同一の冷媒回路で運転する構成とされている。
【０００３】
【特許文献１】特開平１０−２６２９号公報（段落［００１０］，及び図１）
【発明の開示】
【発明が解決しようとする課題】
【０００４】
しかし、室外ユニットでは、空気調和装置及び冷凍サイクル装置に対して同一の送風装置によって外気を供給している。このため、送風装置の送風量が、空気調和装置と冷凍サイクル装置とのどちらか一方にとっては適切でなくなってしまう場合がある。
【０００５】
例えば、空気調和装置で室外熱交換器による熱交換量を大きくするために送風装置の送風量を増大させると、冷凍サイクル装置にとっては送風装置の送風量が多くなりすぎて、冷凍サイクル装置の室外熱交換器による熱交換が進行しすぎてしまうことがあった。
この場合には、冷凍サイクル装置の冷媒回路において室外熱交換器の下流側への冷媒の供給圧力が低下してしまい、冷媒回路での冷媒の循環がスムーズに行われなくなるので、冷凍サイクル装置の能力が低下して、冷凍サイクル装置の効率が低下してしまう。
【０００６】
具体的には、冬季には空気調和装置に強力な暖房能力が要求されるが、外気温が低いために、空気調和装置の室外熱交換器（蒸発器）で冷媒を蒸発させるためには送風装置の送風量を多くする必要がある。しかし、外気温が低いために、送風装置の送風量を多くすると、冷凍サイクル装置にとっては送風量が多すぎてしまい、冷凍サイクル装置の室外熱交換器による熱交換が進行しすぎて冷凍サイクル装置の能力が低下し、冷凍サイクル装置の効率が低下してしまう。
【０００７】
一方、送風装置の送風量を冷凍サイクル装置の適正な熱交換量に合わせて設定すると、空気調和装置では室外熱交換器による熱交換が不十分になってしまうことがあった。
この場合には、空気調和装置の冷媒回路において室外熱交換器の上流側での冷媒圧力が高くなってしまうので、空気調和装置のコンプレッサに負担がかかってしまい、空気調和装置の効率が低下してしまう。
【０００８】
具体的には、夏季には空気調和装置に強力な冷房能力が要求されるが、外気温が高いために、空気調和装置の室外熱交換器（凝縮器）で冷媒を凝縮させるためには送風装置の送風量を多くする必要がある。しかし、送風装置の送風量が冷凍サイクル装置の適正な熱交換量に合わせて設定されていると、空気調和装置にとっては送風量が少なすぎて、空気調和装置の室外熱交換器による熱交換が不十分になって、空気調和装置の効率が低下してしまう。
【０００９】
また、空気調和装置の暖房運転時には、空気調和装置の室外熱交換器に付着した霜を除去して熱交換効率を回復させるために、空気調和装置の室外熱交換器による熱交換量を低減または熱交換を停止させる、デフロスト運転を行うことがある。
しかし、デフロスト運転時には、送風装置の送風量を低下または送風を停止させる必要がある。このように送風装置を停止させた状態では、冷凍サイクル装置の室外熱交換器の熱交換量も低減されて、室外熱交換器による冷媒の凝縮量が低減する。このため、長時間送風装置を停止させておくと、冷凍サイクル装置の室外熱交換器への冷媒の供給圧が冷凍サイクル装置の効率的な運転に適した範囲以上に上昇してしまい、冷凍サイクル装置の効率が低下してしまう。
【００１０】
本発明は、このような事情に鑑みてなされたものであって、室外機及び送風装置を共通化しつつ、空気調和装置と冷凍サイクル装置のそれぞれの性能を十分に発揮させることができる複合型空気調和設備及びその運転方法を提供することを目的とする。
【課題を解決するための手段】
【００１１】
上記課題を解決するために、本発明の複合型空気調和設備及びその運転方法は以下の手段を採用する。
すなわち、本発明にかかる複合型空気調和設備は、室外熱交換器と他の構成部材とを含む冷媒回路がそれぞれ独立して設けられた空気調和装置及び冷凍サイクル装置を備える複合型空気調和設備であって、前記各冷媒回路の前記室外熱交換器が収納される一台の室外機と、該室外機内に外気を取り込んで前記各室外熱交換器に接触させる送風装置とを有しており、前記冷凍サイクル装置の前記冷媒回路は、前記室外熱交換器の上流側で、前記室外熱交換器が設けられる熱交換流路と、前記冷媒回路の前記室外熱交換器の下流側に接続されるバイパス流路とに分岐されており、前記熱交換流路と前記バイパス流路とは、高圧コントロール弁を介して接続されていて、前記高圧コントロール弁の下流側への冷媒の供給圧力が維持されるようになっていることを特徴とする。
【００１２】
この複合型空気調和設備は、空気調和装置に加えて、冷蔵装置や冷凍装置等の冷凍サイクル装置を、少なくとも一台以上有している。これら空気調和装置及び冷凍サイクル装置は、それぞれ室外熱交換器と他の構成部材とを含む冷媒回路を有しており、各冷媒回路はそれぞれ独立した構成とされている。
これら各冷媒回路の室外熱交換器は、一台の室外機内に設置されており、送風装置を動作させることで、送風装置によって室外機内に取り込まれた外気と接触させられて、これら冷媒回路内を流通する冷媒と、送風装置によって室外機内に取り込まれた外気との間で、熱交換が行われる。
【００１３】
この複合型空気調和設備では、冷凍サイクル装置の冷媒回路には、室外熱交換器が設けられる熱交換流路と室外熱交換器を迂回するバイパス流路との合流部に、高圧コントロール弁が設けられている。
高圧コントロール弁は、熱交換流路内を流通する冷媒圧力が低下した場合には、熱交換流路からの下流側への冷媒の流通量を低減させるかまたは冷媒の流通を停止させる一方で、バイパス流路から下流側への冷媒の流通量を増加させることで、下流側への冷媒の供給圧力を維持するものである。ここで、高圧コントロール弁は、熱交換流路内を流通する冷媒圧力が適正範囲内にある場合には、熱交換流路からの下流側への冷媒の流通量を最大とし、その一方で、バイパス流路から下流側への冷媒の流通を停止させる構成とされている。
【００１４】
この複合型空気調和設備の冷凍サイクル装置では、室外熱交換器での熱交換が過度に行われるなどして熱交換流路内の冷媒圧力が好ましい範囲を下回った場合には、高圧コントロール弁によって、冷媒回路において熱交換流路から下流側への冷媒の流通量が低減されるか、または冷媒の流通が停止されるため、冷媒が熱交換流路内に滞留する。
これにより、室外熱交換器の有効熱交換面積が減少することとなって、室外熱交換器での冷媒の凝縮が進行しにくくなり、冷媒の過度の凝縮が抑えられる。
一方で、高圧コントロール弁によって、バイパス流路から下流側への冷媒の流通量が増加させられるので、下流側への冷媒の供給圧力が維持される。
【００１５】
また、熱交換流路内の冷媒圧力が好ましい範囲内にある場合には、バイパス流路から下流側への冷媒の流通量が低減させられるかまたは冷媒の流通が停止させられる一方で、熱交換流路から下流側への冷媒の流通量が増加させられることとなって、下流側への冷媒の供給圧力が維持される。
【００１６】
このように、この複合型空気調和設備では、冷凍サイクル装置の高圧コントロール弁によって下流側への冷媒の供給圧力（冷媒回路において室外熱交換器の下流側に設けられる部材への冷媒の供給圧力）が維持されるので、送風装置の送風量によらず、冷凍サイクル装置の性能が維持される。
これにより、この複合型空気調和設備では、送風装置を空気調和装置の運転条件に合わせて運転して、空気調和装置の性能を十分に発揮させつつ、冷凍サイクル装置の性能を維持することができる。
【００１７】
本発明にかかる複合型空気調和設備は、室外熱交換器と他の構成部材とを含む冷媒回路がそれぞれ独立して設けられた空気調和装置及び冷凍サイクル装置を備える複合型空気調和設備であって、前記各冷媒回路の前記室外熱交換器が収納される一台の室外機と、該室外機内に外気を取り込んで前記各室外熱交換器に接触させる送風装置とを有しており、前記冷凍サイクル装置の前記冷媒回路には、前記室外熱交換器へ供給される冷媒の圧力を測定する冷凍サイクル側冷媒圧力測定装置が設けられており、前記冷凍サイクル装置の前記冷媒回路は、前記室外熱交換器の上流側で、前記室外熱交換器が設けられる熱交換流路と、前記冷媒回路の前記室外熱交換器の下流側に接続されるバイパス流路とに分岐されており、前記熱交換流路には、前記室外熱交換器の下流側に、該熱交換流路内を流通する冷媒の流量を調整する第一流量制御弁が設けられており、前記バイパス流路には、該バイパス流路内を流通する冷媒の流量を調整する第二流量制御弁が設けられていることを特徴とする。
【００１８】
この複合型空気調和設備は、空気調和装置に加えて、冷蔵装置や冷凍装置等の冷凍サイクル装置を、少なくとも一台以上有している。これら空気調和装置及び冷凍サイクル装置は、それぞれ室外熱交換器と他の構成部材とを含む冷媒回路を有しており、各冷媒回路はそれぞれ独立した構成とされている。
これら各冷媒回路の室外熱交換器は、一台の室外機内に設置されており、送風装置を動作させることで、送風装置によって室外機内に取り込まれた外気と接触させられて、これら冷媒回路内を流通する冷媒と、送風装置によって室外機内に取り込まれた外気との間で、熱交換が行われる。
【００１９】
この複合型空気調和設備では、冷凍サイクル側冷媒圧力測定装置によって、冷凍サイクル装置の冷媒回路の、室外熱交換器へ供給される冷媒の圧力（室外熱交換器内での冷媒圧力）が測定されている。
冷凍サイクル装置の冷媒回路には、熱交換流路の室外熱交換器の下流側に第一流量制御弁が設けられており、この第一流量制御弁を操作することで、熱交換流路から下流側への冷媒の流通量を制御することができるようになっている。
また、冷凍サイクル装置の冷媒回路には、室外熱交換器を迂回するバイパス流路に第二流量制御弁が設けられており、この第二流量制御弁を操作することで、バイパス流路から下流側への冷媒の流通量を制御することができる。
【００２０】
この複合型空気調和設備では、冷凍サイクル装置の第一、第二流量制御弁を操作することで、冷媒回路において室外熱交換器の下流側に設けられる部材への冷媒の供給圧力が維持されるので、送風装置の送風量によらず、冷凍サイクル装置の性能が維持される。
これにより、この複合型空気調和設備では、送風装置を空気調和装置の運転条件に合わせて運転して、空気調和装置の性能を十分に発揮させつつ、冷凍サイクル装置の性能を維持することができる。
【００２１】
以下、この複合型空気調和設備の操作について説明する。
ここで、冷凍サイクル装置では、室外熱交換器での熱交換が過度に行われるなどして熱交換流路内の冷媒圧力が低下した場合には、室外熱交換器へ供給される冷媒の圧力（冷媒回路において室外熱交換器の上流側での冷媒圧力）も低下する。すなわち、冷凍サイクル装置では、室外熱交換器へ供給される冷媒の圧力に基づいて、熱交換流路の下流側への冷媒の供給圧力を知ることができる。
そこで、室外熱交換器へ供給される冷媒の圧力が好ましい範囲を下回った場合には、第一流量制御弁を操作して、熱交換流路から下流側への冷媒の流通量を低減するか、または冷媒の流通を停止する。
【００２２】
これにより、冷媒が熱交換流路内に滞留するので、室外熱交換器の有効熱交換面積が減少して、室外熱交換器での冷媒の凝縮が進行しにくくなり、冷媒の過度の凝縮が抑えられる。
そして、この第一流量制御弁の操作と並行して、第二流量制御弁を操作して、バイパス流路から下流側への冷媒の流通量を増加させることで、下流側への冷媒の供給圧力が維持される。
ここで、冷凍サイクル装置の冷媒回路において室外熱交換器へ供給される冷媒の圧力が好ましい範囲内にある場合には、第二流量制御弁を操作してバイパス流路から下流側への冷媒の流通量を低減させるかまたは冷媒の流通を停止させる一方で、第一流量制御弁を操作して熱交換流路から下流側への冷媒の流通量を増加させることで、下流側には、室外熱交換器によって熱交換された冷媒が十分な圧力で供給される。
【００２３】
このように、この複合型空気調和設備では、上記の操作を行うことにより、冷凍サイクル装置の冷媒回路において室外熱交換器の下流側に設けられる部材への冷媒の供給圧力を維持することができるので、送風装置の送風量によらず、冷凍サイクル装置の性能が維持される。
これにより、この複合型空気調和設備では、送風装置を空気調和装置の運転条件に合わせて運転して、空気調和装置の性能を十分に発揮させつつ、冷凍サイクル装置の性能を維持することができる。
また、高価な高圧コントロール弁を用いることなく、上記の作用・効果を得ることができるので、設備コストを低減することができる。
【００２４】
この複合型空気調和設備は、前記冷凍サイクル側冷媒圧力測定装置の測定値に基づいて前記第一、第二流量制御弁の開度をそれぞれ制御する制御装置が設けられており、該制御装置は、前記冷凍サイクル側冷媒圧力測定装置の測定値が下限側基準値を下回った場合には、前記第一流量制御弁の開度を小さくしつつ前記第二流量制御弁の開度を大きくする構成とされていてもよい。
【００２５】
このように構成される複合型空気調和設備では、第一、第二流量制御弁のそれぞれの開度が、制御装置によって自動的に制御されるので、冷凍サイクル装置を常に最適な条件で動作させることができる。
ここで、制御装置による第一、第二流量制御弁の制御のための判断基準となる下限側基準値は、冷凍サイクル装置を常に最適な条件で動作させることができる値とされており、この値は、冷凍サイクル装置の構成に基づいて、実験的手法または解析的手法によって求められる。
【００２６】
本発明にかかる複合型空気調和設備は、室外熱交換器と他の構成部材とを含む冷媒回路がそれぞれ独立して設けられた空気調和装置及び冷凍サイクル装置を備える複合型空気調和設備であって、前記各冷媒回路の前記室外熱交換器が収納される一台の室外機と、該室外機内に外気を取り込んで前記各室外熱交換器に接触させる送風装置と、前記冷凍サイクル装置の前記室外熱交換器に供給される冷媒の圧力を測定する冷凍サイクル側圧力測定装置と、前記空気調和装置の暖房サイクル形成時に前記空気調和装置の前記室外熱交換器を通過した冷媒の圧力を測定する低圧側圧力測定装置と、前記冷凍サイクル側圧力測定装置及び前記低圧側圧力測定装置のそれぞれの測定値に基づいて前記送風装置の動作を制御する制御装置とを有しており、該制御装置は、前記空気調和装置の暖房サイクル形成時には、前記低圧側圧力測定装置の測定値が前記空気調和装置の効率的な暖房運転の行われる範囲内となりかつ前記冷凍サイクル側圧力測定装置の測定値が前記冷凍サイクル装置の効率的な運転の行われる範囲内となるように前記送風装置の送風量を制御する構成とされていることを特徴とする。
【００２７】
このように構成される複合型空気調和設備では、空気調和装置に加えて、冷蔵装置や冷凍装置等の冷凍サイクル装置を、少なくとも一台以上有している。これら空気調和装置及び冷凍サイクル装置は、それぞれ室外熱交換器と他の構成部材とを含む冷媒回路を有しており、各冷媒回路はそれぞれ独立した構成とされている。
これら各冷媒回路の室外熱交換器は、一台の室外機内に設置されており、送風装置を動作させることで、送風装置によって室外機内に取り込まれた外気と接触させられて、これら冷媒回路内を流通する冷媒と、送風装置によって室外機内に取り込まれた外気との間で、熱交換が行われる。各冷媒回路の室外熱交換器による熱交換量は、送風装置の送風量に比例して大きくなる。
【００２８】
この複合型空気調和設備では、送風装置は、制御装置によってその動作が制御されている。
制御装置は、冷凍サイクル側圧力測定装置及び空気調和装置の低圧側圧力測定装置のそれぞれの測定値に基づいて送風装置の動作を制御する構成とされている。
具体的には、制御装置は、空気調和装置の暖房運転時には、低圧側圧力測定装置の測定値が空気調和装置の効率的な暖房運転の行われる範囲内となりかつ冷凍サイクル側圧力測定装置の測定値が冷凍サイクル装置の効率的な運転の行われる範囲内となるように送風装置の送風量を制御する。
【００２９】
これにより、この複合型空気調和設備では、空気調和装置と冷凍サイクル装置との双方について効率的な運転を行うことができる。
また、この空気調和設備では、上記の効果を得るために配管構造を変更したり複雑にしたり各種の弁を設けるなどする必要がないので、設備コストが低減されるとともに、既設の複合型空気調和設備にわずかな変更を加えるだけで本発明の複合型空気調和設備を構成することができる。
【００３０】
ここで、冷凍サイクル装置を効率的に運転するために要求される冷凍サイクル装置の室外熱交換器への冷媒の供給圧の範囲は、冷凍サイクル装置の構成から、実験的手法または解析的手法によって求めることができる。
同様に、空気調和装置が効率的な暖房運転を行っている状態での空気調和装置の室外熱交換器に供給される冷媒の圧力範囲は、空気調和装置の構成から、実験的手法または解析的手法によってそれぞれ求めることができる。
【００３１】
この複合型空気調和設備において、前記空気調和装置の冷房サイクル形成時に前記空気調和装置の前記室外熱交換器に供給される冷媒の圧力を測定する高圧側圧力測定装置を有し、前記制御装置は、前記空気調和装置の冷房サイクル形成時には、前記高圧側圧力測定装置の測定値が前記空気調和装置の効率的な冷房運転の行われる範囲内となりかつ前記冷凍サイクル側圧力測定装置の測定値が前記冷凍サイクル装置の効率的な運転の行われる範囲内となるように前記送風装置の送風量を制御する構成とされていてもよい。
【００３２】
この場合には、制御装置は、空気調和装置の冷房運転時には、高圧側圧力測定装置の測定値が空気調和装置の効率的な冷房運転の行われる範囲内となりかつ冷凍サイクル側圧力測定装置の測定値が冷凍サイクル装置の効率的な運転の行われる範囲内となるように送風装置の送風量を制御する。
【００３３】
これにより、この複合型空気調和設備では、空気調和装置と冷凍サイクル装置との双方について効率的な運転を行うことができる。
ここで、空気調和装置が効率的な冷房運転を行っている状態での空気調和装置の室外熱交換器に供給される冷媒の圧力範囲は、空気調和装置の構成から、実験的手法または解析的手法によってそれぞれ求めることができる。
【００３４】
本発明にかかる複合型空気調和設備は、室外熱交換器と他の構成部材とを含む冷媒回路がそれぞれ独立して設けられた空気調和装置及び冷凍サイクル装置を備える複合型空気調和設備であって、前記各冷媒回路の前記室外熱交換器が収納される一台の室外機と、該室外機内に外気を取り込んで前記各室外熱交換器に接触させる送風装置と、前記冷凍サイクル装置の前記室外熱交換器に供給される冷媒の圧力を測定する冷凍サイクル側圧力測定装置と、前記空気調和装置の冷房サイクル形成時に前記空気調和装置の前記室外熱交換器に供給される冷媒の圧力を測定する高圧側圧力測定装置と、前記冷凍サイクル側圧力測定装置及び前記高圧側圧力測定装置のそれぞれの測定値に基づいて前記送風装置の動作を制御する制御装置とを有しており、該制御装置は、前記空気調和装置の冷房サイクル形成時には、前記高圧側圧力測定装置の測定値が前記空気調和装置の効率的な冷房運転の行われる範囲内となりかつ前記冷凍サイクル側圧力測定装置の測定値が前記冷凍サイクル装置の効率的な運転の行われる範囲内となるように前記送風装置の送風量を制御する構成とされていることを特徴とする。
【００３５】
このように構成される複合型空気調和設備では、空気調和装置に加えて、冷蔵装置や冷凍装置等の冷凍サイクル装置を、少なくとも一台以上有している。これら空気調和装置及び冷凍サイクル装置は、それぞれ室外熱交換器と他の構成部材とを含む冷媒回路を有しており、各冷媒回路はそれぞれ独立した構成とされている。
これら各冷媒回路の室外熱交換器は、一台の室外機内に設置されており、送風装置を動作させることで、送風装置によって室外機内に取り込まれた外気と接触させられて、これら冷媒回路内を流通する冷媒と、送風装置によって室外機内に取り込まれた外気との間で、熱交換が行われる。各冷媒回路の室外熱交換器による熱交換量は、送風装置の送風量に比例して大きくなる。
【００３６】
この複合型空気調和設備では、送風装置は、制御装置によってその動作が制御されている。
制御装置は、冷凍サイクル側圧力測定装置及び空気調和装置の高圧側圧力測定装置のそれぞれの測定値に基づいて送風装置の動作を制御する構成とされている。
【００３７】
具体的には、制御装置は、空気調和装置の冷房運転時には、高圧側圧力測定装置の測定値が空気調和装置の効率的な冷房運転の行われる範囲内となりかつ冷凍サイクル側圧力測定装置の測定値が冷凍サイクル装置の効率的な運転の行われる範囲内となるように送風装置の送風量を制御する。
【００３８】
これにより、この複合型空気調和設備では、空気調和装置と冷凍サイクル装置との双方について効率的な運転を行うことができる。
また、この空気調和設備では、上記の効果を得るために配管構造を変更したり複雑にしたり各種の弁を設けるなどする必要がないので、設備コストが低減されるとともに、既設の複合型空気調和設備にわずかな変更を加えるだけで本発明の複合型空気調和設備を構成することができる。
【００３９】
ここで、冷凍サイクル装置を効率的に運転するために要求される冷凍サイクル装置の室外熱交換器への冷媒の供給圧の範囲は、冷凍サイクル装置の構成から、実験的手法または解析的手法によって求めることができる。
同様に、空気調和装置が効率的な冷房運転を行っている状態での空気調和装置の室外熱交換器に供給される冷媒の圧力範囲は、空気調和装置の構成から、実験的手法または解析的手法によってそれぞれ求めることができる。
【００４０】
この複合型空気調和設備において、前記制御装置は、前記空気調和装置のデフロスト運転時には前記送風装置を停止させ、その後、前記冷凍サイクル側圧力測定装置の測定値が前記冷凍サイクル装置の上限側基準値を上回った場合には、前記送風装置の運転を再開する構成とされていてもよい。
【００４１】
この複合型空気調和設備においても、空気調和装置のデフロスト運転時には、送風装置が停止させられて空気調和装置の室外熱交換器の熱交換量が低減され、室外熱交換器に供給された高温の冷媒によって室外熱交換器に付着した霜が加熱されて溶かされる。
この複合型空気調和設備では、空気調和装置がデフロスト運転に移行して送風装置が停止した後は、冷凍サイクル側圧力測定装置の測定値が上限側基準値を上回った場合には、制御装置によって送風装置の運転が再開されて、冷凍サイクル装置の室外熱交換器による熱交換量が回復する。
これにより、空気調和装置がデフロスト運転に移行している状態でも、冷凍サイクル装置の室外熱交換器への冷媒の供給圧が常に許容範囲内に保たれることとなり、冷凍サイクル装置の効率低下を防止することができる。
ここで、冷凍サイクル側圧力測定装置の測定値の許容範囲（上限側基準値）は、冷凍サイクル装置を常に最適な条件で動作させることができる値とされており、この値は、冷凍サイクル装置の構成に基づいて、実験的手法または解析的手法によって求められる。
【００４２】
本発明にかかる複合型空気調和設備は、室外熱交換器と他の構成部材とを含む冷媒回路がそれぞれ独立して設けられた空気調和装置及び冷凍サイクル装置を備える複合型空気調和設備であって、前記各冷媒回路の前記室外熱交換器が収納される一台の室外機と、該室外機内に外気を取り込んで前記各室外熱交換器に接触させる送風装置と、該送風装置の動作を制御する制御装置と、前記冷凍サイクル装置の前記室外熱交換器に供給される冷媒の圧力を測定する冷凍サイクル側圧力測定装置とを有しており、該制御装置は、前記空気調和装置のデフロスト運転時には前記送風装置を停止させ、その後、前記冷凍サイクル側圧力測定装置の測定値が上限側基準値を上回った場合には、前記送風装置の運転を再開させることを特徴とする。
【００４３】
この複合型空気調和設備においても、空気調和装置のデフロスト運転時には、送風装置が停止させられて空気調和装置の室外熱交換器の熱交換量が低減され、室外熱交換器に供給された高温の冷媒によって室外熱交換器に付着した霜が加熱されて溶かされる。
【００４４】
この複合型空気調和設備では、空気調和装置がデフロスト運転に移行して送風装置が停止した後は、冷凍サイクル側圧力測定装置の測定値が上限側基準値を上回った場合には、制御装置によって送風装置の運転が再開されて、冷凍サイクル装置の室外熱交換器による熱交換量が回復する。
これにより、空気調和装置がデフロスト運転に移行している状態でも、冷凍サイクル装置の室外熱交換器への冷媒の供給圧が常に許容範囲内に保たれることとなり、冷凍サイクル装置の効率低下を防止することができる。
ここで、冷凍サイクル側圧力測定装置の測定値の許容範囲は、冷凍サイクル装置を常に最適な条件で動作させることができる値とされており、この値は、冷凍サイクル装置の構成に基づいて、実験的手法または解析的手法によって求められる。
【００４５】
本発明にかかる複合型空気調和設備は、室外熱交換器と他の構成部材とを含む冷媒回路がそれぞれ独立して設けられた空気調和装置及び冷凍サイクル装置を備える複合型空気調和設備であって、前記各冷媒回路の前記室外熱交換器が収納される一台の室外機と、該室外機内に外気を取り込んで前記各室外熱交換器に接触させる送風装置とを有しており、前記冷凍サイクル装置の前記室外熱交換器は、複数の熱交換器ユニットに分割されており、前記冷凍サイクル装置の前記冷媒回路には、前記各熱交換ユニットのうちの少なくとも一つに対する冷媒の流通の許容と規制とを行う弁が設けられていることを特徴とする。
【００４６】
このように構成される複合型空気調和設備は、弁を開くことで、冷凍サイクル装置の熱交換器を構成する熱交換ユニットのうち、冷媒を流通させる熱交換ユニットの数を増やすことができ、弁を閉じることで、室外熱交換器の有効熱交換面積を減らすことができる。
そして、弁を操作して、冷凍サイクル装置の熱交換器を構成する熱交換ユニットのうち、冷媒を流通させる熱交換ユニットの数を減らすことで、室外熱交換器の有効熱交換面積を減らすことができる。
また、弁を操作して、冷凍サイクル装置の熱交換器を構成する熱交換ユニットのうち、冷媒を流通させる熱交換ユニットの数を増やすことで、室外熱交換器の有効熱交換面積を増加させることができる。
【００４７】
このように室外熱交換器の有効熱交換面積を調整することで、送風装置の送風量とは独立して、冷凍サイクル装置の室外熱交換器による熱交換量を制御することができるので、送風装置の送風量によらず、冷凍サイクル装置の室外熱交換器内の冷媒圧力を維持することができる。
これにより、送風装置を空気調和装置の運転条件に合わせて運転して、空気調和装置の性能を十分に発揮させつつ、冷凍サイクル装置の性能を維持することができる。
【００４８】
この複合型空気調和設備において、前記冷凍サイクル装置の前記冷媒回路の、前記室外熱交換器へ供給される冷媒の圧力を測定する冷凍サイクル側冷媒圧力測定装置と、該冷凍サイクル側圧力測定装置の測定値に基づいて前記弁の動作を制御する制御装置とが設けられており、該制御装置は、前記冷凍サイクル側圧力測定装置の測定値が下限側基準値を下回った場合には、前記弁を操作して、前記熱交換ユニットのうち前記冷媒を流通させる熱交換ユニットの数を低減する構成とされていてもよい。
【００４９】
このように構成される複合型空気調和設備では、前記弁の開閉が制御装置によって自動的に制御されるので、冷凍サイクル装置を常に最適な条件で動作させることができる。
ここで、制御装置による弁の制御のための判断基準となる下限側基準値は、冷凍サイクル装置を常に最適な条件で動作させることができる値とされており、この値は、冷凍サイクル装置の構成に基づいて、実験的手法または解析的手法によって求められる。
【００５０】
本発明にかかる複合型空気調和設備の運転方法は、請求項２に記載の複合型空気調和設備の運転方法であって、前記冷凍サイクル側冷媒圧力測定装置の測定値に基づいて前記第一、第二流量制御弁の開度をそれぞれ制御して、前記冷凍サイクル側冷媒圧力測定装置の測定値が下限側基準値を下回った場合には、前記第一流量制御弁の開度を小さくしつつ前記第二流量制御弁の開度を大きくすることを特徴とする。
【００５１】
この複合型空気調和設備の運転方法では、第一、第二流量制御弁のそれぞれの開度を適切に制御して、冷凍サイクル装置を常に最適な条件で動作させることができる。
ここで、第一、第二流量制御弁の制御のための判断基準となる下限側基準値は、冷凍サイクル装置を常に最適な条件で動作させることができる値とされており、この値は、冷凍サイクル装置の構成に基づいて、実験的手法または解析的手法によって求められる。
【００５２】
本発明にかかる複合型空気調和設備の運転方法は、室外熱交換器と他の構成部材とを含む冷媒回路がそれぞれ独立して設けられた空気調和装置及び冷凍サイクル装置を備え、前記各冷媒回路の前記室外熱交換器が収納される一台の室外機と、該室外機内に外気を取り込んで前記各室外熱交換器に接触させる送風装置とを有する複合型空気調和設備の運転方法であって、前記冷凍サイクル装置の前記室外熱交換器に供給される冷媒の圧力を測定する冷凍サイクル側圧力測定装置と、前記空気調和装置の暖房サイクル形成時に前記空気調和装置の前記室外熱交換器を通過した冷媒の圧力を測定する低圧側圧力測定装置とを設けて、前記空気調和装置の暖房サイクル形成時には、前記低圧側圧力測定装置の測定値が前記空気調和装置の効率的な暖房運転の行われる範囲内となりかつ前記冷凍サイクル側圧力測定装置の測定値が前記冷凍サイクル装置の効率的な運転の行われる範囲内となるように前記送風装置の送風量を制御することを特徴とする。
【００５３】
この複合型空気調和設備の運転方法では、空気調和装置の暖房運転時には、低圧側圧力測定装置の測定値が空気調和装置の効率的な暖房運転の行われる範囲内となりかつ冷凍サイクル側圧力測定装置の測定値が冷凍サイクル装置の効率的な運転の行われる範囲内となるように送風装置の送風量を制御する。
これにより、この複合型空気調和設備の運転方法では、空気調和装置と冷凍サイクル装置との双方について効率的な運転を行うことができる。
【００５４】
ここで、冷凍サイクル装置を効率的に運転するために要求される冷凍サイクル装置の室外熱交換器への冷媒の供給圧の範囲は、冷凍サイクル装置の構成から、実験的手法または解析的手法によって求めることができる。
同様に、空気調和装置が効率的な暖房運転を行っている状態での空気調和装置の室外熱交換器に供給される冷媒の圧力範囲は、空気調和装置の構成から、実験的手法または解析的手法によってそれぞれ求めることができる。
【００５５】
本発明にかかる複合型空気調和設備の運転方法は、室外熱交換器と他の構成部材とを含む冷媒回路がそれぞれ独立して設けられた空気調和装置及び冷凍サイクル装置を備え、前記各冷媒回路の前記室外熱交換器が収納される一台の室外機と、該室外機内に外気を取り込んで前記各室外熱交換器に接触させる送風装置とを有する複合型空気調和設備の運転方法であって、前記冷凍サイクル装置の前記室外熱交換器に供給される冷媒の圧力を測定する冷凍サイクル側圧力測定装置と、前記空気調和装置の冷房サイクル形成時に前記空気調和装置の前記室外熱交換器に供給される冷媒の圧力を測定する高圧側圧力測定装置とを設けて、前記空気調和装置の冷房サイクル形成時には、前記高圧側圧力測定装置の測定値が前記空気調和装置の効率的な冷房運転の行われる範囲内となりかつ前記冷凍サイクル側圧力測定装置の測定値が前記冷凍サイクル装置の効率的な運転の行われる範囲内となるように前記送風装置の送風量を制御することを特徴とする。
【００５６】
この複合型空気調和設備の運転方法では、空気調和装置の冷房運転時には、高圧側圧力測定装置の測定値が空気調和装置の効率的な冷房運転の行われる範囲内となりかつ冷凍サイクル側圧力測定装置の測定値が冷凍サイクル装置の効率的な運転の行われる範囲内となるように送風装置の送風量を制御する。
これにより、この複合型空気調和設備では、空気調和装置と冷凍サイクル装置との双方について効率的な運転を行うことができる。
【００５７】
ここで、冷凍サイクル装置を効率的に運転するために要求される冷凍サイクル装置の室外熱交換器への冷媒の供給圧の範囲は、冷凍サイクル装置の構成から、実験的手法または解析的手法によって求めることができる。
同様に、空気調和装置が効率的な冷房運転を行っている状態での空気調和装置の室外熱交換器に供給される冷媒の圧力範囲は、空気調和装置の構成から、実験的手法または解析的手法によってそれぞれ求めることができる。
【００５８】
本発明にかかる複合型空気調和設備の運転方法は、室外熱交換器と他の構成部材とを含む冷媒回路がそれぞれ独立して設けられた空気調和装置及び冷凍サイクル装置を備え、前記各冷媒回路の前記室外熱交換器が収納される一台の室外機と、該室外機内に外気を取り込んで前記各室外熱交換器に接触させる送風装置とを有する複合型空気調和設備の運転方法であって、前記冷凍サイクル装置の前記室外熱交換器に供給される冷媒の圧力を測定する冷凍サイクル側圧力測定装置を設けて、前記空気調和装置のデフロスト運転時には前記送風装置を停止させ、その後、前記冷凍サイクル側圧力測定装置の測定値が上限側基準値を上回った場合には、前記送風装置の運転を再開することを特徴とする。
【００５９】
この複合型空気調和設備の運転方法では、空気調和装置がデフロスト運転に移行して送風装置が停止した後は、冷凍サイクル側圧力測定装置の測定値が上限側基準値を上回った場合には、送風装置の運転を再開して、冷凍サイクル装置の室外熱交換器による熱交換を再開する。
これにより、空気調和装置がデフロスト運転に移行している状態でも、冷凍サイクル装置の室外熱交換器への冷媒の供給圧が常に許容範囲内に保たれることとなり、冷凍サイクル装置の効率低下を防止することができる。
ここで、冷凍サイクル側圧力測定装置の測定値の許容範囲（上限側基準値）は、冷凍サイクル装置を常に最適な条件で動作させることができる値とされており、この値は、冷凍サイクル装置の構成に基づいて、実験的手法または解析的手法によって求められる。
【００６０】
本発明にかかる複合型空気調和設備の運転方法は、請求項９記載の複合型空気調和設備の運転方法であって、前記冷凍サイクル装置の前記冷媒回路の、前記室外熱交換器へ供給される冷媒の圧力を測定する冷凍サイクル側冷媒圧力測定装置を設け、該冷凍サイクル側圧力測定装置の測定値が下限側基準値を下回った場合には、前記弁を操作して、前記熱交換ユニットのうち前記冷媒を流通させる熱交換ユニットの数を低減することを特徴とする。
【００６１】
この複合型空気調和設備の運転方法では、前記弁の開閉を適切に制御して、冷凍サイクル装置を常に最適な条件で動作させることができる。
ここで、弁の制御のための判断基準となる下限側基準値は、冷凍サイクル装置を常に最適な条件で動作させることができる値とされており、この値は、冷凍サイクル装置の構成に基づいて、実験的手法または解析的手法によって求められる。
【発明の効果】
【００６２】
このように構成される複合型空気調和設備、及びその運転方法によれば、室外機及び送風装置を共通化した構成としつつ、空気調和装置と冷凍サイクル装置のそれぞれの性能を十分に発揮させることができる。
【発明を実施するための最良の形態】
【００６３】
以下に、本発明にかかる実施形態について、図面を参照して説明する。
［第一実施形態］
以下、本発明の第一実施形態について、図１から図４を用いて説明する。
本実施形態にかかる空調・冷蔵・冷凍設備（複合型空気調和設備）１は、図１に示すように、大型店舗やコンビニエンスストア等の店舗に適用されるものであって、店舗内の暖房または冷房を行う空気調和装置２と、飲料水や食品等を冷蔵状態で保存または陳列する冷蔵装置（冷凍サイクル装置）３、及び氷やアイスクリーム、冷凍食品等を冷凍状態で保存または陳列する冷凍装置（冷凍サイクル装置）４を備えている。
これら空気調和装置２、冷蔵装置３、及び冷凍装置４は、室外熱交換器と他の構成部材とを含む冷媒回路がそれぞれ独立して設けられている。
【００６４】
空気調和装置２は、店舗内に設けられる室内空調ユニット１１を有している。この室内空調ユニット１１には、図２に示す冷媒回路１２が接続されている。
冷媒回路１２は、暖房サイクルと冷房サイクルとのうちのいずれか一方を選択的に形成するものである。
冷媒回路１２は、冷媒が循環される冷媒流路上に、室内空調ユニット１１内に設けられて冷媒と店舗内雰囲気との間で熱交換を行う室内熱交換器１３と、冷媒を加圧する圧縮機１４と、冷媒と室外雰囲気との間で熱交換を行う空調用室外熱交換器１５と、冷媒を膨張させて減圧する電子膨張弁（絞り抵抗器）１６とが、この順番で設けられた構成とされている。
【００６５】
また、この冷媒回路１２では、圧縮機１４は、四方弁１７を介して、室内熱交換器１３及び空調用室外熱交換器１５と接続されている。
四方弁１７は、冷媒流路における圧縮機１４からの冷媒吐出方向及び冷媒流路における圧縮機１４への冷媒供給方向を制御して、冷媒流路内での冷媒の流れを制御して、暖房サイクルと冷房サイクルとのうちのいずれか一方を選択的に形成するものである。
電子膨張弁１６としては、冷房用膨張弁１６ａと暖房用膨張弁１６ｂとが設けられており、空気調和装置２は、運転モードに応じてこれら電子膨張弁１６を使い分ける構成とされている。
また、この冷媒回路１２において、圧縮機１４の上流側には、冷媒回路１２内を流通する冷媒から液冷媒を取り除いて気体冷媒のみを通過させるアキュームレータ１８が設けられている。
【００６６】
冷蔵装置３は、図１に示すように、店舗内に設けられて冷蔵対象物を収納・陳列する冷蔵ショーケース２１を有している。この冷蔵ショーケース２１には、図２に示す冷媒回路２２が接続されている。
冷媒回路２２は、冷蔵ショーケース２１内の雰囲気を冷却する冷凍サイクルを形成するものである。
この冷媒回路２２は、冷媒が循環される冷媒流路上に、冷蔵ショーケース２１内に設けられて冷媒と冷蔵ショーケース２１内の雰囲気との間で熱交換を行う室内熱交換器２３と、冷媒を加圧する圧縮機２４と、冷媒と室外雰囲気との間で熱交換を行う冷蔵用室外熱交換器２５と、冷媒を膨張させて冷却する膨張弁（絞り抵抗器）２６とがこの順番で設けられた構成とされている。
【００６７】
また、冷媒回路２２は、冷蔵用室外熱交換器２５の上流側で、冷蔵用室外熱交換器２５が設けられる熱交換流路２２ａと、冷媒回路２２の冷蔵用室外熱交換器２５の下流側に接続されるバイパス流路２２ｂとに分岐されている。
そして、熱交換流路２２ａとバイパス流路２２ｂとは、第一高圧コントロール弁２７を介して接続されており、下流側への冷媒の供給圧力が維持されるようになっている。
【００６８】
第一高圧コントロール弁２７は、熱交換流路２２ａが接続される第一室２７ａと、バイパス流路２２ｂが接続される第二室２７ｂとが連結された構成とされている。
第一室２７ａには、開口端２２ｃを第二室２７ｂに向けた状態にして熱交換流路２２ａが接続されている。
第一室２７ａ内と第二室２７ｂ内とを隔てる隔壁２７ｃには、開口端２２ｃに対向する位置に、第一室２７ａ内と第二室２７ｂ内とを接続する連通孔２７ｄが設けられている。
【００６９】
第二室２７ｂを構成する壁部のうち、連通孔２７ｄに対向する部位には、開口端２２ｃと連通孔２７ｄとを結ぶ直線に略平行にして、ロッド２８が挿通されている。
ロッド２８は、一端２８ａが第二室２７ｂ外に位置し、かつ他端２８ｂが連通孔２７ｄを通じて第一室２７ａ内に位置した状態にして、長手方向に移動可能にして設けられている。ここで、第二室２７ｂのロッド２８の挿通部では、ロッド２８と第二室２７ｂの壁部との間は、図示せぬシール材によってロッド２８の移動を許容しつつ気密、液密に封止されている。
【００７０】
ロッド２８の他端２８ｂには、弁体２８ｃが設けられている。
弁体２８ｃは、ロッド２８をその長手方向に移動させることで、開口端２２ｃを閉塞する位置と、連通孔２７ｄを閉塞する位置との間で移動することができるようになっている。
この弁体２８ｃには、熱交換流路２２ａ内を流通する冷媒の圧力が、弁体２８ｃを連通孔２７ｄ側に向けて押圧する力として作用するようになっている。
【００７１】
また、第一高圧コントロール弁２７には、弁体２８を開口端２２ｃに向けて付勢する第一付勢部材２９ａと、弁体２８を連通孔２７ｄに向けて付勢する第二付勢部材２９ｂとが設けられている。
すなわち、弁体２８ｃは、熱交換流路２２ａ内を流通する冷媒の圧力、第一、第二付勢部材２９ａ，２９ｂの付勢力が釣合う位置で保持されるようになっている。
ここで、第一、第二付勢部材２９ａ，２９ｂの付勢力は、後述するようにそれぞれ一定とされているので、弁体２８ｃの位置は、熱交換流路２２ａ内での冷媒の圧力の低下の度合いに応じて変化する。
【００７２】
第一付勢部材２９ａは、第二室２７ｂのロッド２８の一端２８ａ側に、一端２８ａを覆うようにして設けられるハウジングＨと、ハウジングＨ内を仕切ってロッド２８の一端２８ａ側に密閉空間Ｓを形成するとともに、一端２８ａを受けるダイヤフラムＤとを有している。
密閉空間Ｓには、窒素ガス等のガスが充填されており、ダイヤフラムＤは、密閉空間Ｓの内圧によって第二室２７ｂ側に向けて押圧されている。
すなわち、第一付勢部材２９ａは、密閉空間Ｓ内に充填されたガスの圧力によってロッド２８を開口端２２ｃに向けて付勢するものであって、これによってロッド２８の他端２８ｂに設けられる弁体２８ｃを開口端２２ｃに向けて付勢する構成とされている。
【００７３】
第二付勢部材２９ｂは、例えば、第一室２７ａ内に設けられて弁体２８ｃを連通孔２７ｄに向けて直接付勢する第一コイルスプリング２９ｃと、ハウジングＨ内でロッド２８の一端２８ａと第二室２７ｂの壁面との間に設けられてロッド２８を第二室２７ｂから引き出す向きに付勢する（すなわちロッド２８に設けられる弁体２８ｃを連通孔２７ｄに向けて付勢する）第二コイルスプリング２９ｄとを有している。
【００７４】
また、この冷媒回路２２において、第一高圧コントロール弁２７の下流側には、第一高圧コントロール弁２７から送出された冷媒を一時貯留するレシーバ３０が設けられている。
【００７５】
冷凍装置４は、図１に示すように、店舗内に設けられて冷凍対象物を収納・陳列する冷凍ショーケース３１を有している。この冷凍ショーケース３１には、図２に示す冷媒回路３２が接続されている。
冷媒回路３２は、冷凍ショーケース３１内の雰囲気を冷却する冷凍サイクルを形成するものである。
この冷媒回路３２は、冷媒が循環される冷媒流路上に、冷凍ショーケース３１内に設けられて冷媒と冷凍ショーケース３１内の雰囲気との間で熱交換を行う室内熱交換器３３と、冷媒を加圧する圧縮機３４と、冷媒と室外雰囲気との間で熱交換を行う冷凍用室外熱交換器３５と、冷媒を膨張させて冷却する膨張弁（絞り抵抗器）３６とがこの順番で設けられた構成とされている。
【００７６】
また、冷媒回路３２は、冷凍用室外熱交換器３５の上流側で、冷凍用室外熱交換器３５が設けられる熱交換流路３２ａと、冷媒回路３２の冷凍用室外熱交換器３５の下流側に接続されるバイパス流路３２ｂとに分岐されている。
そして、熱交換流路３２ａとバイパス流路３２ｂとは、第二高圧コントロール弁３７を介して接続されていて、下流側への冷媒の供給圧力が維持されるようになっている。
【００７７】
第二高圧コントロール弁３７は、図３に示す第一高圧コントロール弁２７とほぼ同様の構成とされている。第二高圧コントロール弁３７は、第一高圧コントロール弁２７において、第一室２７ａに熱交換流路３２ａが接続され、第二室２７ｂにバイパス流路３２ｂが接続されたものである。また、熱交換流路３２ａの開口端３２ｃは、第二室２７ｂとの隔壁２７ｃの連通孔２７ｄに対向させられている。
第二高圧コントロール弁３７では、弁体２８ｃは、熱交換流路３２ａ内を流通する冷媒の圧力と第二付勢部材２９ｃの付勢力とによって連通孔２７ｄ側に向けて押圧され、第一付勢部材２９ａの付勢力によって開口端３２ｃに向けて押圧されるようになっていて、これらの力が釣合う位置で保持されるようになっている。すなわち、弁体２８ｃの位置は、熱交換流路３２ａ内での冷媒の圧力の低下の度合いに応じて変化する。
【００７８】
また、この冷媒回路３２において、第二高圧コントロール弁３７の下流側には、第二高圧コントロール弁３７から送出された冷媒を一時貯留するレシーバ４０が設けられている。
【００７９】
図１、図２に示すように、この空調・冷蔵・冷凍設備１には、上記各冷媒回路１２，２２，３２の空調用室外熱交換器１５、冷蔵用室外熱交換器２５、及び冷凍用室外熱交換器３５が収納される一台の室外機４２が設けられている。
図２に示すように、室外機４２には、室外機４２内に外気を取り込んで、空調用室外熱交換器１５、冷蔵用室外熱交換器２５、及び冷凍用室外熱交換器３５に接触させる送風装置４３が設けられている。
室外機４２内では、冷蔵用室外熱交換器２５と冷凍用室外熱交換器３５とが、空調用室外熱交換器１５に対して、送風装置４３が発生させる気流の上流側に近接配置されている。
【００８０】
以下、このように構成される空調・冷蔵・冷凍設備の動作について説明する。
空気調和装置２は、暖房運転時には、四方弁１７によって圧縮機１４の冷媒出口が冷媒流路の室内熱交換器１３側に接続され、かつ、圧縮機１４の冷媒入口を冷媒流路の空調用室外熱交換器１５側に接続される。
これにより、圧縮機１４で加圧されて高温高圧となった気体冷媒が、室内熱交換器１３に送り込まれ、この高温高圧の冷媒と室内雰囲気との間で熱交換が行われる。
冷媒は、室内熱交換器１３を通過することで、室内雰囲気に熱を奪われて、凝縮・液化することとなり、これによって室内雰囲気の加熱が行われる。すなわち、室内熱交換器１３は、気体冷媒を凝縮・液化する凝縮器として機能する。
【００８１】
このようにして室内熱交換器１３によって凝縮・液化された冷媒は、室内熱交換器１３の下流側に設けられる暖房用膨張弁１６ｂにて減圧されて、低温低圧の二相冷媒となる。この二相冷媒は、暖房用膨張弁１６ｂの下流に設けられる空調用室外熱交換器１５に送り込まれて、室外機４２内に取り込まれた外気との間で熱交換が行われる。
冷媒は、空調用室外熱交換器１５を通過することで、室外機４２内に取り込まれた外気から熱を奪って蒸発気化し、低温低圧の気体冷媒となる。すなわち、空調用室外熱交換器１５は、液体冷媒を加熱して蒸発させる蒸発器として機能するものである。
【００８２】
ここで、空気調和装置２は、冷媒回路１２における冷媒の循環流量を一定とした場合（定常運転時）であっても、送風装置４３の送風量（室外機４２内に取り込まれる外気の量）が多くなるほど、空調用室外熱交換器１５による冷媒の蒸発が促進されて、空気調和装置２の暖房能力が大きくなる。反対に、空気調和装置２は、冷媒回路１２における冷媒の循環流量を一定とした場合であっても、送風装置４３の送風量が少なくなるほど、空調用室外熱交換器１５による冷媒の蒸発が行われにくくなり、空気調和装置２の暖房能力が小さくなる。
このようにして生じた気体冷媒は、四方弁１７を通じて圧縮機１４の冷媒入口に送り込まれ、再び圧縮機１４による加圧を受けて、室内熱交換器１３に送り込まれ、上記過程が繰り返される。
【００８３】
一方、空気調和装置２は、冷房運転時には、四方弁１７によって圧縮機１４の冷媒出口が冷媒流路の空調用室外熱交換器１５側に接続され、かつ圧縮機１４の冷媒入口を冷媒流路の室内熱交換器１３側に接続される。
これにより、圧縮機１４で加圧されて高温高圧となった気体冷媒が、空調用室外熱交換器１５に送り込まれて、室外機４２内に取り込まれた外気との間で熱交換が行われる。
冷媒は、空調用室外熱交換器１５を通過することで、室外機４２内に取り込まれた外気に熱を奪われて凝縮・液化する。すなわち、空調用室外熱交換器１５は、凝縮器として機能するものである。
ここで、空気調和装置２は、冷媒回路１２における冷媒の循環流量を一定とした場合であっても、送風装置４３の送風量が多くなるほど、空調用室外熱交換器１５による冷媒の凝縮・液化が促進されて、空気調和装置２の冷房能力が大きくなる。反対に、空気調和装置２は、冷媒回路１２における冷媒の循環流量を一定とした場合であっても、送風装置４３の送風量が少なくなるほど、空調用室外熱交換器１５による冷媒の凝縮・液化が行われにくくなり、空気調和装置２の冷房能力が小さくなる。
【００８４】
このようにして生じた液冷媒は、空調用室外熱交換器１５の下流側に設けられる冷房用膨張弁１６ａにて減圧されて、低温低圧の二相冷媒となった後、室内熱交換器１３に送り込まれて、室内雰囲気との間で熱交換が行われる。
冷媒は、室内熱交換器１３を通過することで、室内雰囲気から熱を奪って蒸発気化することとなり、これによって室内雰囲気の冷却が行われる。すなわち、室内熱交換器１３は、蒸発器として機能する。
そして、室内熱交換器１３を通過した気体冷媒は、四方弁１７を通じて圧縮機１４の冷媒入口に送り込まれ、再び圧縮機１４による加圧を受けて、空調用室外熱交換器１５に送り込まれ、上記過程が繰り返される。
【００８５】
冷蔵装置３では、圧縮機２４で加圧されて高温高圧となった気体冷媒が、冷蔵用室外熱交換器２５に送り込まれて、室外機４２内に取り込まれた外気との間で熱交換が行われる。すなわち、冷蔵用室外熱交換器２５は、凝縮器として機能するものである。
【００８６】
このようにして冷蔵用室外熱交換器２５によって凝縮・液化された液冷媒は、冷蔵用室外熱交換器２５の下流側に設けられる膨張弁２６にて減圧されて、低温低圧の二相冷媒となる。
この低温低圧の二相冷媒は、室内熱交換器２３に送り込まれて、冷蔵ショーケース２１内の雰囲気との間で熱交換が行われる。
冷媒は、室内熱交換器２３を通過することで、冷蔵ショーケース２１内の雰囲気から熱を奪って蒸発気化することとなり、これによって冷蔵ショーケース２１内の雰囲気の冷却が行われる。すなわち、室内熱交換器２３は、蒸発器として機能する。
室内熱交換器２３を通過した気体冷媒は、圧縮機２４の冷媒入口に送り込まれ、再び圧縮機２４による加圧を受けて、冷蔵用室外熱交換器２５に送り込まれ、上記過程が繰り返される。
【００８７】
ここで、冷蔵装置３は、冷媒回路２２における冷媒の循環流量を一定とした場合であっても、送風装置４３の送風量が多くなるほど、冷蔵用室外熱交換器２５による冷媒の凝縮・液化が促進されて、冷却能力が大きくなる。
そして、送風装置４３の送風量が過度に多くなると、冷蔵用室外熱交換器２５内での冷媒の凝縮が進行し過ぎて、熱交換流路２２ａ内を流通する冷媒の圧力が低下する。
この空調・冷蔵・冷凍設備１では、熱交換流路２２ａ内を流通する冷媒の圧力が低下すると、第一高圧コントロール弁２７によって熱交換流路２２ａから下流側への冷媒の流通量が低減または冷媒の流通が停止される一方で、バイパス流路２２ｂから下流側への冷媒の流通量が増加させられる。
【００８８】
以下、第一高圧コントロール弁２７による熱交換流路２２ａから下流側への冷媒の流通量、及びバイパス流路２２ｂから下流側への冷媒の流通量の制御について具体的に説明する。
前記のように、第一高圧コントロール弁２７の弁体２８は、熱交換流路２２ａ内を流通する冷媒の圧力によってその位置が変わるようになっている。そして、熱交換流路２２ａ内を流通する冷媒の圧力が低下した場合には、弁体２８が熱交換流路２２ａの開口端２２ｃに近接または密着させられて、開口端２２ｃを通じた冷媒の流通量が低減させられるか、または冷媒の流通が停止させられる。
【００８９】
本実施形態では、熱交換流路２２ａ内を流通する冷媒の圧力が、冷蔵装置３の運転上好ましい範囲内（運転効率の高い範囲内）にある場合には、図３に示すように、第一高圧コントロール弁２７の弁体２８は、連通孔２７ｄを閉塞する位置に保持される。これにより、熱交換流路２２ａから下流側への冷媒の流通量が最大となるとともに、バイパス流路２２ｂから下流側への冷媒の流通が規制されるようになっている。
この状態では、冷蔵用室外熱交換器２５の下流側には、冷蔵用室外熱交換器２５による熱交換が行われた冷媒のみが供給されることとなり、冷蔵用室外熱交換器２５による熱交換量が最大となる。
【００９０】
そして、熱交換流路２２ａ内を流通する冷媒の圧力が、冷蔵装置３の運転上好ましい範囲を下回った場合には、弁体２８が熱交換流路２２ａの開口端２２ｃに近接する方向に移動させられる。これにより、開口端２２ｃから吐出される冷媒に流体抵抗が生じて熱交換流路２２ａから下流側への冷媒の流通量が低減されるとともに、バイパス流路２２ｂから下流側への冷媒の流通が許容される。
さらに、熱交換流路２２ａ内を流通する冷媒の圧力が、冷蔵装置３の許容範囲の下限値を下回った場合には、図４に示すように、弁体２８によって熱交換流路２２ａの開口端２２ｃが閉塞されて熱交換流路２２ａから下流側への冷媒の流通が規制される一方で、バイパス流路２２ｂから下流側への冷媒の流通量が最大となる。
このようにバイパス流路２２ｂから下流側への冷媒の流通量が増加させられることで、第一高圧コントロール弁２７の下流側への冷媒の供給圧力が許容範囲内に保たれる。
【００９１】
このように熱交換流路２２ａから下流側への冷媒の流通量が低減されるか、または冷媒の流通が停止されると、冷媒が熱交換流路２２ａ内に滞留するため、冷蔵用室外熱交換器２５の有効熱交換面積が減少することとなる。
これにより、冷蔵用室外熱交換器２５での冷媒の凝縮が進行しにくくなるので、冷媒の過度の凝縮が抑えられて、熱交換流路２２ａ内を流通する冷媒の圧力が回復する。
【００９２】
冷凍装置４では、圧縮機３４で加圧されて高温高圧となった気体冷媒が、冷凍用室外熱交換器３５に送り込まれ、この高温高圧の冷媒と室外雰囲気との間で熱交換が行われる。すなわち、冷凍用室外熱交換器３５は、凝縮器として機能する。
【００９３】
このようにして冷凍用室外熱交換器３５によって凝縮・液化された液冷媒は、冷凍用室外熱交換器３５の下流側に設けられる膨張弁３６にて減圧されて、低温低圧の二相冷媒となる。
この低温低圧の二相冷媒は、室内熱交換器３３に送り込まれて、冷凍ショーケース３１内の雰囲気との間で熱交換が行われる。
冷媒は、室内熱交換器３３を通過することで、冷凍ショーケース３１内の雰囲気から熱を奪って蒸発気化することとなり、これによって冷凍ショーケース３１内の雰囲気の冷却が行われる。すなわち、室内熱交換器３３は、蒸発器として機能する。
そして、室内熱交換器３３を通過した気体冷媒は、圧縮機３４の冷媒入口に送り込まれ、再び圧縮機３４による加圧を受けて、冷凍用室外熱交換器３５に送り込まれ、上記過程が繰り返される。
【００９４】
ここで、冷凍装置４は、冷媒回路３２における冷媒の循環流量を一定とした場合であっても、送風装置４３の送風量が多くなるほど、冷凍用室外熱交換器３５による冷媒の凝縮・液化が促進されて、冷却能力が大きくなる。
そして、送風装置４３の送風量が過度に多くなると、冷凍用室外熱交換器３５内での冷媒の凝縮が進行し過ぎて、熱交換流路３２ａ内を流通する冷媒の圧力が低下する。
本実施の形態では、熱交換流路３２ａ内を流通する冷媒の圧力が低下すると、第二高圧コントロール弁３７によって熱交換流路３２ａから下流側への冷媒の流通量が低減または冷媒の流通が停止される一方で、バイパス流路３２ｂから下流側への冷媒の流通量が増加させられる。
【００９５】
第二高圧コントロール弁３７は、冷蔵装置３における第一コントロール弁２７と同様に作用する。
具体的には、熱交換流路３２ａ内を流通する冷媒の圧力が、冷凍装置４の運転上好ましい範囲内（運転効率の高い範囲内）にある場合には、第二高圧コントロール弁３７の弁体２８は、連通孔２７ｄを閉塞する位置に保持されて、熱交換流路３２ａから下流側への冷媒の流通量が最大となるとともに、バイパス流路３２ｂから下流側への冷媒の流通が規制されるようになっている。
この状態では、冷凍用室外熱交換器３５の下流側には、冷凍用室外熱交換器３５による熱交換が行われた冷媒のみが供給されることとなり、冷凍用室外熱交換器３５による熱交換量が最大となる。
【００９６】
そして、熱交換流路３２ａ内を流通する冷媒の圧力が、冷蔵装置３の運転上好ましい範囲を下回った場合には、弁体２８が熱交換流路３２ａの開口端３２ｃに近接する方向に移動させられる。これにより、開口端３２ｃから吐出される冷媒に流体抵抗が生じて熱交換流路３２ａから下流側への冷媒の流通量が低減されるとともに、バイパス流路３２ｂから下流側への冷媒の流通が許容される。
さらに、熱交換流路３２ａ内を流通する冷媒の圧力が、冷凍装置４の許容範囲の下限値を下回った場合には、弁体２８によって熱交換流路３２ａの開口端３２ｃが閉塞されて熱交換流路３２ａから下流側への冷媒の流通が規制される一方で、バイパス流路３２ｂから下流側への冷媒の流通量が最大となる。
このようにバイパス流路３２ｂから下流側への冷媒の流通量が増加させられることで、第二高圧コントロール弁３７の下流側への冷媒の供給圧力が許容範囲内に保たれる。
【００９７】
このように熱交換流路３２ａから下流側への冷媒の流通量が低減されるか、または冷媒の流通が停止されると、冷媒が熱交換流路３２ａ内に滞留するため、冷凍用室外熱交換器３５の有効熱交換面積が減少することとなる。
これにより、冷凍用室外熱交換器３５での冷媒の凝縮が進行しにくくなるので、冷媒の過度の凝縮が抑えられて、熱交換流路３２ａ内を流通する冷媒の圧力が回復する。
【００９８】
このように、この空調・冷蔵・冷凍設備１では、冷凍サイクル装置である冷蔵装置３、冷凍装置４で、高圧コントロール弁によって室外熱交換器の下流側への冷媒の供給圧力（冷媒回路２２，３２において冷蔵用、冷凍用室外熱交換器２５，３５の下流側への冷媒の供給圧力）が維持されるので、送風装置４３の送風量によらず、冷蔵装置３及び冷凍装置４の性能が維持される。
これにより、この空調・冷蔵・冷凍設備１では、送風装置４３を空気調和装置２の運転条件に合わせて運転して、空気調和装置２の性能を十分に発揮させつつ、冷蔵装置３及び冷凍装置４の性能を維持することができる。
【００９９】
ここで、空気調和装置２、冷蔵装置３、及び冷凍装置４の冷媒回路１２，２２，３２はそれぞれ独立しているので、いずれかの冷媒回路にトラブルが生じても、他の冷媒回路に悪影響を与えにくい。
また、この空調・冷蔵・冷凍設備１は、冷蔵装置３及び冷凍装置４の冷媒回路２２，３２に、バイパス流路と高圧コントロール弁をそれぞれ設けるだけで済むので、既設の空気調和装置、冷蔵装置、及び冷凍装置をほぼそのまま利用して、本発明にかかる空調・冷蔵・冷凍設備を構築することができる。
【０１００】
［第二実施形態］
次に、本発明の第二実施形態について、図５を用いて説明する。
本実施形態にかかる空調・冷蔵・冷凍設備５１は、第一実施形態に示す空調・冷蔵・冷凍設備１において、冷蔵装置３の冷媒回路２２及び冷凍装置４の冷媒回路３２の構成を一部変更したことを主たる特徴とするものである。
以下では、第一実施形態に示す空調・冷蔵・冷凍設備１と同様または同一の部材については同じ符号を用いて示し、詳細な説明を省略する。
【０１０１】
この空調・冷蔵・冷凍設備５１では、冷蔵装置３の冷媒回路２２には、冷蔵用室外熱交換器２５へ供給される冷媒の圧力を測定する冷蔵側冷媒圧力測定装置５２が設けられている。本実施の形態では、冷蔵側冷媒圧力測定装置５２は、冷媒回路２２において圧縮機２４と冷蔵用室外熱交換器２５との間に設けられている。
冷媒回路２２の熱交換流路２２ａには、冷蔵用室外熱交換器２５の下流側に、熱交換流路２２ａ内を流通する冷媒の流量を調整する第一流量制御弁５３が設けられている。
また、冷媒回路２２のバイパス流路２２ｂには、バイパス流路２２ｂ内を流通する冷媒の流量を調整する第二流量制御弁５４が設けられている。
【０１０２】
この空調・冷蔵・冷凍設備５１では、冷凍装置４の冷媒回路３２には、冷凍用室外熱交換器３５へ供給される冷媒の圧力を測定する冷凍側冷媒圧力測定装置５６が設けられている。本実施の形態では、冷凍側冷媒圧力測定装置５６は、冷媒回路３２において圧縮機３４と冷凍用室外熱交換器３５との間に設けられている。
冷媒回路３２の熱交換流路３２ａには、冷凍用室外熱交換器３５の下流側に、熱交換流路３２ａ内を流通する冷媒の流量を調整する第一流量制御弁５７が設けられている。
また、冷媒回路３２のバイパス流路３２ｂには、バイパス流路３２ｂ内を流通する冷媒の流量を調整する第二流量制御弁５８が設けられている。
【０１０３】
また、この空調・冷蔵・冷凍設備５１には、冷蔵側冷媒圧力測定装置５２の測定値に基づいて冷蔵装置３の第一、第二流量制御弁５３，５４のそれぞれの開度を制御し、冷凍側冷媒圧力測定装置５６の測定値に基づいて冷凍装置４の第一、第二流量制御弁５７，５８のそれぞれの開度を制御する制御装置５９が設けられている。
【０１０４】
このように構成される空調・冷蔵・冷凍設備５１では、制御装置５９によって冷蔵装置３の第一、第二流量制御弁５３，５４の開度が制御されており、これによって第一高圧コントロール弁２７と同様の機能が実現されている。また、制御装置５９によって冷凍装置４の第一、第二流量制御弁５７，５８の開度が制御されており、これによって第二高圧コントロール弁３７と同様の機能が実現されている。
【０１０５】
以下、制御装置５９による第一流量制御弁５３，５７、第二流量制御弁５４，５８の開度の制御について具体的に説明する。
まず、制御装置５９による冷蔵装置３の第一流量制御弁５３と第二流量制御弁５４との制御について説明する。
ここで、冷蔵装置３では、冷蔵用室外熱交換器２５での熱交換が過度に行われるなどして熱交換流路２２ａ内の冷媒圧力が低下した場合には、冷蔵用室外熱交換器２５へ供給される冷媒の圧力（冷媒回路２２において冷蔵用室外熱交換器２５の上流側での冷媒圧力）も低下する。
すなわち、この空調・冷蔵・冷凍設備５１では、冷蔵側冷媒圧力測定装置５２の測定値（冷蔵用室外熱交換器２５へ供給される冷媒の圧力）は、熱交換流路２２ａ内の冷媒圧力に比例してほぼ同一である。
【０１０６】
制御装置５９は、冷蔵側冷媒圧力測定装置５２の測定値が、冷蔵装置３の運転上好ましい範囲内にある場合（すなわち熱交換流路２２ａ内の冷媒圧力が好ましい範囲内にある場合）には、第二流量制御弁５４を操作してバイパス流路２２ｂから下流側への冷媒の流通を停止させる一方で、第一流量制御弁５３を操作して熱交換流路２２ａから下流側への冷媒の流通量を増加させる。これにより、冷媒回路２２において冷蔵用室外熱交換器２５の下流側には、冷凍用室外熱交換器２５によって熱交換された冷媒のみが供給される。
【０１０７】
一方、制御装置５９は、冷蔵側冷媒圧力測定装置５２の測定値が好ましい範囲を下回った場合（すなわち熱交換流路２２ａ内の冷媒圧力が好ましい範囲を下回った場合）には、第一流量制御弁５３を操作して、熱交換流路２２ａから下流側への冷媒の流通量を低減するか、または冷媒の流通を停止する。
これにより、冷媒が熱交換流路２２ａ内に滞留するので、冷蔵用室外熱交換器２５の有効熱交換面積が減少して、冷蔵用室外熱交換器２５での冷媒の凝縮が進行しにくくなり、冷媒の過度の凝縮が抑えられ、熱交換能力の低下を補うため圧力が上昇する。
さらに、制御装置５９は、この第一流量制御弁５３の操作と並行して、第二流量制御弁５４を操作して、バイパス流路２２ｂから下流側への冷媒の流通量を増加させる。
これにより、冷蔵用室外熱交換器２５の下流側への冷媒の供給圧力が維持される。
【０１０８】
次に、制御装置５９による冷凍装置４の第一流量制御弁５７と第二流量制御弁５８の制御について説明する。
ここで、冷凍装置４では、冷凍用室外熱交換器３５での熱交換が過度に行われるなどして熱交換流路３２ａ内の冷媒圧力が低下した場合には、冷凍用室外熱交換器３５へ供給される冷媒の圧力（冷媒回路３２において冷凍用室外熱交換器３５の上流側での冷媒圧力）も低下する。
すなわち、この空調・冷蔵・冷凍設備５１では、冷凍側冷媒圧力測定装置５６の測定値（冷凍用室外熱交換器３５へ供給される冷媒の圧力）は、熱交換流路３２ａ内の冷媒圧力に比例してほぼ同一である。
【０１０９】
制御装置５９は、冷凍側冷媒圧力測定装置５６の測定値が、冷凍装置４の運転上好ましい範囲内にある場合（すなわち熱交換流路３２ａ内の冷媒圧力が好ましい範囲内にある場合）には、第二流量制御弁５８を操作してバイパス流路３２ｂから下流側への冷媒の流通を停止させる一方で、第一流量制御弁５７を操作して熱交換流路３２ａから下流側への冷媒の流通量を増加させる。これにより、冷媒回路３２において冷凍用室外熱交換器３５の下流側には、冷凍用室外熱交換器３５によって熱交換された冷媒のみが供給される。
【０１１０】
一方、制御装置５９は、冷凍側冷媒圧力測定装置５６の測定値が好ましい範囲を下回った場合（すなわち熱交換流路３２ａ内の冷媒圧力が好ましい範囲を下回った場合）には、第一流量制御弁５７を操作して、熱交換流路３２ａから下流側への冷媒の流通量を低減するか、または冷媒の流通を停止する。
これにより、冷媒が熱交換流路３２ａ内に滞留するので、冷凍用室外熱交換器３５の有効熱交換面積が減少して、冷凍用室外熱交換器３５での冷媒の凝縮が進行しにくくなり、冷媒の過度の凝縮が抑えられ、熱交換能力の低下を補うため圧力が上昇する。
さらに、制御装置５９は、この第一流量制御弁５７の操作と並行して、第二流量制御弁５８を操作して、バイパス流路３２ｂから下流側への冷媒の流通量を増加させる。
これにより、冷凍用室外熱交換器３５の下流側への冷媒の供給圧力が維持される。
【０１１１】
このように、この空調・冷蔵・冷凍設備１では、上記のように制御装置５９によって第一、第二流量制御弁５３，５４，５７，５８の操作が行われて、冷蔵装置３、冷凍装置４の冷媒回路２２，３２のそれぞれにおいて、冷蔵用、冷凍用室外熱交換器２５，３５の下流側への冷媒の供給圧力が維持されるので、送風装置４３の送風量によらず、冷蔵装置３及び冷凍装置４の性能が維持される。
これにより、この空調・冷蔵・冷凍設備５１では、送風装置を空気調和装置の運転条件に合わせて運転して、空気調和装置２の性能を十分に発揮させつつ、冷蔵装置３及び冷凍装置４の性能を維持することができる。
また、高価な高圧コントロール弁を用いることなく、上記の作用・効果を得ることができるので、設備コストを低減することができる。
【０１１２】
ここで、制御装置５９による第一、第二流量制御弁５３，５４の制御のための判断基準となる基準値、及び第一、第二流量制御弁５７，５８の制御のための判断基準となる基準値は、冷蔵装置３、冷凍装置４の構成に基づいて、実験的手法または解析的手法によって求められる。
【０１１３】
［第三実施形態］
次に、本発明の第三実施形態について、図６、図７を用いて説明する。
本実施形態にかかる空調・冷蔵・冷凍設備６１は、第一実施形態に示す空調・冷蔵・冷凍設備１において、空気調和装置２の冷媒回路１２、冷蔵装置３の冷媒回路２２、及び冷凍装置４の冷媒回路３２のそれぞれについて一部の構成を変更したことを主たる特徴とするものである。以下、第一実施形態に示す空調・冷蔵・冷凍設備１と同様または同一の部材については同じ符号を用いて示し、詳細な説明を省略する。
【０１１４】
この空調・冷蔵・冷凍設備６１では、空気調和装置２の冷媒回路１２には、空気調和装置２の暖房サイクル形成時に空調用室外熱交換器１５を通過した冷媒（空調用室外熱交換器１５による熱交換を終えた冷媒）の圧力を測定する低圧側圧力測定装置６２と、空気調和装置２の冷房サイクル形成時に空調用室外熱交換器１５に供給される冷媒の圧力を測定する高圧側圧力測定装置６３とが設けられている。
本実施形態では、低圧側圧力測定装置６２は、冷媒回路１２において四方弁１７とアキュームレータ１８入口との間に設けられており、高圧側圧力測定装置６３は、圧縮機１４出口と四方弁１７との間に設けられている。
【０１１５】
この空調・冷蔵・冷凍設備６１では、冷蔵装置３の冷媒回路２２は、熱交換流路２２ａとバイパス流路２２ｂとに分岐されておらず、また第一高圧コントロール弁２７も設けられていない。
その代わりに、冷媒回路２２には、冷蔵用室外熱交換器２５へ供給される冷媒の圧力を測定する冷蔵側冷媒圧力測定装置５２が設けられている。本実施の形態では、冷蔵側冷媒圧力測定装置５２は、冷媒回路２２において圧縮機２４と冷蔵用室外熱交換器２５との間に設けられている。
【０１１６】
この空調・冷蔵・冷凍設備６１では、冷凍装置４の冷媒回路３２は、熱交換流路３２ａとバイパス流路３２ｂとに分岐されておらず、また第二高圧コントロール弁３７も設けられていない。
その代わりに、冷媒回路３２には、冷凍用室外熱交換器３５へ供給される冷媒の圧力を測定する冷凍側冷媒圧力測定装置５６が設けられている。本実施の形態では、冷凍側冷媒圧力測定装置５６は、冷媒回路３２において圧縮機３４と冷凍用室外熱交換器３５との間に設けられている。
【０１１７】
また、本実施形態では、送風量の制御が容易となるように、送風装置４３として、ファンの回転数（すなわち送風量）を線形に制御することができる、ＤＣファンモータが用いられている。
【０１１８】
さらに、この空調・冷蔵・冷凍設備６１には、冷蔵側冷媒圧力測定装置５２、冷凍側冷媒圧力測定装置５６、低圧側圧力測定装置６２、及び高圧側圧力測定装置６３のそれぞれの測定値に基づいて、空気調和装置２の運転モードに応じて送風装置４３の動作を制御する制御装置６４が設けられている。
【０１１９】
制御装置６４は、図示せぬ演算装置と、メモリ等の記憶装置とを有している。
記憶装置には、空気調和装置２の空調用室外熱交換器１５を通過した冷媒の圧力のうち、空気調和装置２が効率的な暖房運転を行うことができる圧力範囲ＰＡＨの情報と、これに対応する送風装置４３の送風量（本実施形態ではＤＣファンモータの回転数）の情報とが格納されている。
また、記憶装置には、空気調和装置２の空調用室外熱交換器１５を通過した冷媒の圧力のうち、空気調和装置２が効率的な冷房運転を行うことができる圧力範囲ＰＡＣの情報と、これに対応する送風装置４３の送風量の情報とが格納されている。
【０１２０】
さらに、記憶装置には、冷蔵装置３の冷蔵用室外熱交換器２５へ供給される冷媒の圧力のうち、冷蔵装置３が効率的な運転を行うことができる圧力範囲ＰＣの情報と、これに対応する送風装置４３の送風量の情報とが格納されている。
また、記憶装置には、冷凍装置４の冷凍用室外熱交換器３５へ供給される冷媒の圧力のうち、冷凍装置４が効率的な運転を行うことができる圧力範囲ＰＦの情報と、これに対応する送風装置４３の送風量の情報とが格納されている。
【０１２１】
演算装置は、記憶装置に格納されている情報に基づいて、現時点での送風装置４３の最適な送風量を算出するとともに、この算出結果と、冷蔵側冷媒圧力測定装置５２、冷凍側冷媒圧力測定装置５６、低圧側圧力測定装置６２、及び高圧側圧力測定装置６３のそれぞれの測定値に基づいて、送風量が常に最適となるように送風装置４３の動作を制御するものである。
【０１２２】
この空調・冷蔵・冷凍設備６１の運転時には、空気調和装置２、冷蔵装置３、及び冷凍装置４は、それぞれ要求される能力を満たすように、冷媒回路１２，２２，３２内の冷媒の循環流量が維持される。
そして、空調・冷蔵・冷凍設備６１が運転されている間は、送風装置４３の送風量は、制御装置６４によって制御されている。
制御装置６４は、空気調和装置２、冷蔵装置３、及び冷凍装置４のそれぞれが効率的に運転される送風装置４３の送風量を算出し、この算出結果に基づいて、送風量が常に最適となるように送風装置４３の動作を制御する。
【０１２３】
以下、制御装置６４による送風装置４３の最適な送風量の算出方法について説明する。
まず、空気調和装置２の暖房運転時における送風装置４３の送風量の算出方法について説明する。
ここで、図７（ａ）に、空気調和装置２の暖房サイクル形成時に空調用室外熱交換器１５を通過した冷媒の圧力と送風装置４３であるＤＣファンモータの回転数Ｒ（送風装置４３の送風量）との関係を実線で示す。
同様に、図７（ａ）に、冷蔵装置３の冷蔵用室外熱交換器２５へ供給される冷媒の圧力と送風装置４３の回転数Ｒとの関係を一点鎖線で示し、冷凍装置４の冷凍用室外熱交換器３５へ供給される冷媒の圧力と送風装置４３の回転数Ｒとの関係を二点鎖線で示す。
【０１２４】
制御装置６４は、空気調和装置２の空調用室外熱交換器１５を通過した冷媒の圧力が好適な圧力範囲ＰＡＨ内となり、冷蔵装置３の冷蔵用室外熱交換器２５へ供給される冷媒の圧力が好適な範囲ＰＣ内となり、かつ冷凍装置４の冷凍用室外熱交換器３５へ供給される冷媒の圧力が好適な範囲ＰＦ内となる送風装置４３の回転数範囲ＲＨを算出する。
そして、送風装置４３の回転数が回転数範囲ＲＨ内に位置するように送風装置４３の動作を制御することで、空気調和装置２、冷蔵装置３、及び冷凍装置４のそれぞれの性能を十分に発揮させる。
【０１２５】
次に、空気調和装置２の冷房運転時における送風装置４３の送風量の算出方法について説明する。
ここで、図７（ｂ）に、空気調和装置２の冷房サイクル形成時に空調用室外熱交換器１５に供給される冷媒の圧力と送風装置４３の回転数Ｒとの関係を実線で示す。
同様に、図７（ｂ）に、冷蔵装置３の冷蔵用室外熱交換器２５へ供給される冷媒の圧力と送風装置４３の回転数Ｒとの関係を一点鎖線で示し、冷凍装置４の冷凍用室外熱交換器３５へ供給される冷媒の圧力と送風装置４３の回転数Ｒとの関係を二点鎖線で示す。
【０１２６】
制御装置６４は、空気調和装置２の空調用室外熱交換器１５に供給される冷媒の圧力が好適な圧力範囲ＰＡＣ内となり、冷蔵装置３の冷蔵用室外熱交換器２５へ供給される冷媒の圧力が好適な範囲ＰＣ内となり、かつ冷凍装置４の冷凍用室外熱交換器３５へ供給される冷媒の圧力が好適な範囲ＰＦ内となる送風装置４３の回転数範囲ＲＣを算出する。
そして、送風装置４３の回転数が回転数範囲ＲＣ内に位置するように送風装置４３の動作を制御することで、空気調和装置２、冷蔵装置３、及び冷凍装置４のそれぞれの性能を十分に発揮させる。
【０１２７】
次に、空気調和装置２のデフロスト運転時における、制御装置６４による送風装置４３の制御について説明する。
制御装置６４は、デフロスト運転時には、送風装置４３による送風を停止させる。
これによって、空気調和装置２の空調用室外熱交換器１５の熱交換量が低減され、空調用室外熱交換器１５に供給された高温の冷媒によって空調用室外熱交換器１５に付着した霜が加熱されて溶かされる。
ここで、室外機４２内では、冷蔵用室外熱交換器２５と冷凍用室外熱交換器３５とが、空調用室外熱交換器１５に近接配置されている。
これにより、冷蔵用室外熱交換器２５、冷凍用室外熱交換器３５から排出される熱によっても空調用室外熱交換器１５が過熱されるため、デフロストがより効率的に行われる。
【０１２８】
このように送風装置４３を停止させた状態では、冷蔵用室外熱交換器２５による熱交換量が低下して、冷媒の凝縮量が低下するため、冷蔵装置３の冷媒回路２２において冷蔵用室外熱交換器２５の上流側での冷媒圧力が増加する。
同様に、送風装置４３を停止させた状態では、冷凍用室外熱交換器３５による熱交換量が低下して、冷媒の凝縮量が低下するため、冷凍装置４の冷媒回路３２において冷凍用室外熱交換器３５の上流側での冷媒圧力が増加する。
このため、送風装置４３を停止させている時間が長いと、冷蔵装置３及び冷凍装置４の効率が低下してしまう。
【０１２９】
制御装置６４は、デフロスト運転に移行して送風装置４３による送風を停止させた後は、冷蔵側冷媒圧力測定装置５２の測定値が前記好適な圧力範囲ＰＣを超えるか、もしくは冷凍側冷媒圧力測定装置５６の測定値が前記好適な圧力範囲ＰＦを超えた場合には、送風装置４３の運転を再開する。
【０１３０】
これにより、冷蔵用室外熱交換器２５による熱交換量及び冷凍用室外熱交換器３５による熱交換量が回復するので、空気調和装置２がデフロスト運転に移行している状態でも、冷蔵装置３及び冷凍装置４の効率低下が防止される。
【０１３１】
このように、この空調・冷蔵・冷凍設備６１では、空気調和装置２と、冷凍サイクル装置である冷蔵装置３及び冷凍装置４のそれぞれについて効率的な運転を行うことができる。
また、この空調・冷蔵・冷凍設備６１では、上記の効果を得るために配管構造を変更したり複雑にしたり各種の弁を設けるなどする必要がないので、第一、第二実施形態に示す空調・冷蔵・冷凍設備１，５１に比べて設備コストが低減されるとともに、既設の空調・冷蔵・冷凍設備にわずかな変更を加えるだけで本発明の空調・冷蔵・冷凍設備を構成することができる。
【０１３２】
なお、前記圧力範囲ＰＡＨ、ＰＡＣ、ＰＣ、ＰＦの情報と、これに対応する送風装置４３の送風量の情報とは、空気調和装置２、冷蔵装置３、及び冷凍装置４のそれぞれの構成に基づいて、実験的手法または解析的手法によって求めることができる。
【０１３３】
ここで、空気調和装置２の暖房サイクル形成時に空調用室外熱交換器１５を通過した冷媒の圧力の情報は、低圧側圧力測定装置６２によって直接測定して得る以外の手法を用いて得てもよい。同様に、空気調和装置２の冷房サイクル形成時に空調用室外熱交換器１５に供給される冷媒の圧力の情報は、高圧側圧力測定装置６３によって直接測定して得る以外の手法を用いて得てもよい（このことは、前記第二実施形態及び後記の第四実施形態についてもいえる）。
【０１３４】
例えば、空気調和装置２の暖房サイクル形成時に空調用室外熱交換器１５を通過した冷媒の圧力と、空調用室外熱交換器１５によって蒸発させられた冷媒の温度との関係は、空気調和装置２の冷媒回路１２の構成から導くことができる。このため、図６に二点鎖線で示すように、空調用室外熱交換器１５に温度センサ６６を設け、制御装置６４を、温度センサ６６の測定値から、空調用室外熱交換器１５を通過した冷媒の圧力を算出する構成とすることで、上記した低圧側圧力測定装置６２の測定値に基づく制御と同様の制御を行うことができる。
【０１３５】
同様に、空気調和装置２の冷房サイクル形成時に空調用室外熱交換器１５に供給される冷媒の圧力と、空調用室外熱交換器１５によって凝縮させられた冷媒の温度との関係は、空気調和装置２の冷媒回路１２の構成から導くことができる。このため、制御装置６４を、温度センサ６６の測定値から、空調用室外熱交換器１５へ供給される冷媒の圧力を算出する構成とすることで、上記した高圧側圧力測定装置６３の測定値に基づく制御と同様の制御を行うことができる。
【０１３６】
ここで、温度センサ６６は、空調・冷蔵・冷凍設備に一般的に設けられているので、温度センサ６６を利用した制御を行う構成とした場合には、低圧側圧力測定装置６２、高圧側圧力測定装置６３を設置する必要がなくなり、空調・冷蔵・冷凍設備６１の製造コストを低減することができる。
また、空調・冷蔵・冷凍設備６１を、低圧側圧力測定装置６２、高圧側圧力測定装置６３を利用した制御と温度センサ６６を利用した制御の両方を切り替えて使用することができる構成とすることで、制御系統に冗長性をもたせることができる。
すなわち、低圧側圧力測定装置６２や高圧側圧力測定装置６３が故障した場合には温度センサ６６を利用した制御を行い、温度センサ６６が故障した場合には低圧側圧力測定装置６２、高圧側圧力測定装置６３を利用した制御を行う構成とすることで、故障による稼働率の低下を防止することができる。
【０１３７】
［第四実施形態］
次に、本発明の第四実施形態について、図８及び図９を用いて説明する。
本実施形態にかかる空調・冷蔵・冷凍設備７１は、第三実施形態に示す空調・冷蔵・冷凍設備６１において、冷蔵装置３の冷媒回路２２及び冷凍装置４の冷媒回路３２について一部の構成を変更したことを主たる特徴とするものである。以下、第三実施形態に示す空調・冷蔵・冷凍設備６１と同様または同一の部材については同じ符号を用いて示し、詳細な説明を省略する。
【０１３８】
この空調・冷蔵・冷凍設備７１では、冷蔵装置３の冷蔵用室外熱交換器２５は、複数の熱交換器ユニットに分割されており、これら熱交換ユニットは、それぞれ冷媒回路２２に対して並列に接続されている。
また、冷媒回路２２には、各熱交換器ユニットのそれぞれに対する冷媒の流通の許容と規制とを行う弁が設けられている。
本実施形態では、図８及び図９に示すように、冷蔵用室外熱交換器２５は、熱交換ユニット２５ａ，２５ｂ，２５ｃを上から下に向けてこの順番で隣接配置した構成とされている。そして、図９に示すように、冷媒回路２２において、熱交換ユニット２５ａの出口側には第一電磁弁７２が設けられており、熱交換ユニット２５ｂの出口側には第二電磁弁７３が設けられている。
【０１３９】
同様に、この空調・冷蔵・冷凍設備７１では、冷凍装置４の冷凍用室外熱交換器３５は、複数の熱交換器ユニットに分割されており、これら熱交換ユニットは、それぞれ冷媒回路３２に対して並列に接続されている。
また、冷媒回路３２には、各熱交換器ユニットのそれぞれに対する冷媒の流通の許容と規制とを行う弁が設けられている。
本実施形態では、図８及び図９に示すように、冷凍用室外熱交換器３５は、熱交換ユニット３５ａ，３５ｂ，３５ｃを上から下に向けてこの順番で隣接配置した構成とされている。そして、図９に示すように、冷媒回路３２において、熱交換ユニット３５ａの出口側には第三電磁弁７６が設けられており、熱交換ユニット３５ｂの出口側には第四電磁弁７７が設けられている。
【０１４０】
さらに、この空調・冷蔵・冷凍設備７１には、冷蔵側冷媒圧力測定装置５２及び冷凍側冷媒圧力測定装置５６のそれぞれの測定値に基づいて、第一〜第四電磁弁７２，７３，７６，７７の動作を制御する制御装置７８が設けられている。
なお、この空調・冷蔵・冷凍設備７１では、低圧側圧力測定装置６２及び高圧側圧力測定装置６３は省かれていてもよい。
【０１４１】
制御装置７８は、冷蔵側冷媒圧力測定装置５２の測定値が前記好ましい圧力範囲ＰＣを下回った場合には、前記第一、第二電磁弁７２，７３を操作して、前記熱交換ユニット２５ａ〜２５ｃのうち冷媒を流通させる熱交換ユニットの数を一つずつ減らしていくものである。
この制御装置７８は、冷媒を流通させる熱交換ユニットの数を低減する際には、上方に位置する熱交換ユニットから順番に冷媒の流通を規制する構成とされている。
【０１４２】
また、制御装置７８は、冷凍側冷媒圧力測定装置５６の測定値が前記好ましい圧力範囲ＰＦを下回った場合には、前記第三、第四電磁弁７６，７７を操作して、熱交換ユニット３５ａ〜３５ｃのうち冷媒を流通させる熱交換ユニットの数を一つずつ減らしていくものである。
この制御装置７８は、冷媒を流通させる熱交換ユニットの数を低減する際には、上方に位置する熱交換ユニットから順番に冷媒の流通を規制する構成とされている。
【０１４３】
制御装置７８は、図示せぬ演算装置と、メモリ等の記憶装置とを有している。
記憶装置には、冷蔵装置３の冷蔵用室外熱交換器２５へ供給される冷媒の圧力のうち、冷蔵装置３が効率的な運転を行うことができる圧力範囲ＰＣの情報が格納されている。
また、記憶装置には、冷凍装置４の冷凍用室外熱交換器３５へ供給される冷媒の圧力のうち、冷凍装置４が効率的な運転を行うことができる圧力範囲ＰＦの情報が格納されている。
【０１４４】
演算装置は、記憶装置に格納されている情報と、冷蔵側冷媒圧力測定装置５２及び冷凍側冷媒圧力測定装置５６のそれぞれの測定値とに基づいて、第一〜第四電磁弁７２，７３，７６，７７のそれぞれの開閉を行うものである。
【０１４５】
この空調・冷蔵・冷凍設備７１の運転時には、空気調和装置２、冷蔵装置３、及び冷凍装置４は、それぞれ要求される能力を満たすように、冷媒回路１２，２２，３２内の冷媒の循環流量が維持される。
また、送風装置４３は、空気調和装置２の空調用室外熱交換器１５に要求される送風量が確保されるように、その動作が制御される。
【０１４６】
そして、送風装置４３の送風量が、冷蔵装置３の冷蔵用室外熱交換器２５にとっては過剰となった場合には、冷蔵用室外熱交換器２５による冷媒の凝縮が過剰に進行して、冷蔵用室外熱交換器２５に供給される冷媒の圧力が低下する（冷蔵側冷媒圧力測定装置５２の測定値が低下する）。
制御装置７８は、冷蔵側冷媒圧力測定装置５２の測定値が低下して、前記圧力範囲ＰＣを下回った場合には、まず、第一電磁弁７２を閉じて、冷蔵用室外熱交換器２５のうち、最上部に位置する熱交換ユニット２５ａによる熱交換を停止して、冷蔵用室外熱交換装置２５の有効熱交換面積を低減する。
そして、この状態でも冷蔵側冷媒圧力測定装置５２の測定値が前記圧力範囲ＰＣを下回る場合には、第二電磁弁７３を閉じて、冷蔵用室外熱交換器２５のうち、最上部に位置する熱交換ユニット２５ａだけでなく、中間部に位置する熱交換ユニット２５ｂによる熱交換も停止して、冷蔵用室外熱交換装置２５の有効熱交換面積をさらに低減する。
この状態では、冷蔵用室外熱交換器２５のうち、最下部に位置する熱交換ユニット２５ｃによってのみ熱交換が行われる。
【０１４７】
この空調・冷蔵・冷凍設備７１では、このように冷蔵用室外熱交換器２５の有効熱交換面積を調整することで、送風装置４３の送風量とは独立して、冷蔵装置３の冷蔵用室外熱交換器２５による熱交換量を制御することができるので、送風装置４３の送風量によらず、冷蔵装置３の冷蔵用室外熱交換器２５内の冷媒圧力を維持することができる。
【０１４８】
同様に、送風装置４３の送風量が、冷凍装置４の冷凍用室外熱交換器３５にとっては過剰となった場合には、冷凍用室外熱交換器３５による冷媒の凝縮が過剰に進行して、冷凍用室外熱交換器３５に供給される冷媒の圧力が低下する（冷凍側冷媒圧力測定装置５６の測定値が低下する）。
制御装置７８は、冷凍側冷媒圧力測定装置５６の測定値が低下して、前記圧力範囲ＰＦを下回った場合には、まず、第三電磁弁７６を閉じて、冷凍用室外熱交換器３５のうち、最上部に位置する熱交換ユニット３５ａによる熱交換を停止して、冷凍用室外熱交換装置３５の有効熱交換面積を低減する。
そして、この状態でも冷凍側冷媒圧力測定装置５６の測定値が前記圧力範囲ＰＦを下回る場合には、第四電磁弁７７を閉じて、冷凍用室外熱交換器３５のうち、最上部に位置する熱交換ユニット３５ａだけでなく、中間部に位置する熱交換ユニット３５ｂによる熱交換も停止して、冷凍用室外熱交換装置３５の有効熱交換面積をさらに低減する。
この状態では、冷凍用室外熱交換器３５のうち、最下部に位置する熱交換ユニット３５ｃによってのみ熱交換が行われる。
【０１４９】
この空調・冷蔵・冷凍設備７１では、このように冷凍用室外熱交換器３５の有効熱交換面積を調整することで、送風装置４３の送風量とは独立して、冷凍装置３の冷凍用室外熱交換器３５による熱交換量を制御することができるので、送風装置４３の送風量によらず、冷凍装置４の冷凍用室外熱交換器３５内の冷媒圧力を維持することができる。
【０１５０】
これにより、この空調・冷蔵・冷凍設備７１では、送風装置４３を空気調和装置２の運転条件に合わせて運転して、空気調和装置２の性能を十分に発揮させつつ、冷蔵装置３及び冷凍装置４の性能を維持することができる。
【０１５１】
ここで、この空調・冷蔵・冷凍設備７１の室外機４２内では、冷蔵用室外熱交換器２５と冷凍用室外熱交換器３５とが、空調用室外熱交換器１５に対して、送風装置４３が発生させる気流の上流側に近接配置されている。
これにより、冷蔵用室外熱交換器２５、冷凍用室外熱交換器３５のそれぞれによって熱交換されて加熱された外気が、空気調和装置２の空調用室外熱交換器１５を加熱する。
すなわち、冷蔵用室外熱交換器２５、冷凍用室外熱交換器３５は、ドレンヒータとして作用するので、空気調和装置２の暖房運転時に空調用室外熱交換器１５に霜が発生しにくくなり、またデフロスト運転時により効率的に霜の除去を行うことができる。
ここで、空調用室外熱交換器１５は、液冷媒が滞留するために、特に下部に霜が発生しやすい。この空調・冷蔵・冷凍設備７１では、冷蔵用室外熱交換器２５の熱交換ユニット及び冷凍用室外熱交換器３５の熱交換ユニットは、上方から順番に停止させられる構成とされている。また、最下部に位置する熱交換ユニットは停止させられることがない。
このため、この空調・冷蔵・冷凍設備７１では、空調用室外熱交換器１５において特に霜が発生しやすい下部が、常に冷蔵用室外熱交換器２５、冷凍用室外熱交換器３５のそれぞれの排熱によって加熱されるので、冷蔵装置３,冷凍装置４の運転状況にかかわらず、空気調和装置２の暖房運転時に空調用室外熱交換器１５に霜が発生しにくくなり、またデフロスト運転時により効率的に霜の除去を行うことができる。
【図面の簡単な説明】
【０１５２】
【図１】本発明の第一実施形態にかかる空調・冷蔵・冷凍設備の適用例を示す斜視図である。
【図２】本発明の第一実施形態にかかる空調・冷蔵・冷凍設備の冷媒回路の構成を示す図である。
【図３】本発明の第一実施形態にかかる空調・冷蔵・冷凍設備に用いられる高圧コントロール弁の構成を示す縦断面図である。
【図４】本発明の第一実施形態にかかる空調・冷蔵・冷凍設備に用いられる高圧コントロール弁の構成を示す縦断面図である。
【図５】本発明の第二実施形態にかかる空調・冷蔵・冷凍設備の冷媒回路の構成を示す図である。
【図６】本発明の第三実施形態にかかる空調・冷蔵・冷凍設備の冷媒回路の構成を示す図である。
【図７】本発明の第三実施形態にかかる空調・冷蔵・冷凍設備の制御装置による送風装置の制御の基準条件を示すグラフである。
【図８】本発明の第四実施形態にかかる空調・冷蔵・冷凍設備の構成を示す図である。
【図９】本発明の第四実施形態にかかる空調・冷蔵・冷凍設備の冷媒回路の構成を示す図である。
【符号の説明】
【０１５３】
１，５１，６１，７１  空調・冷蔵・冷凍設備（複合型空気調和設備）
２  空気調和装置
３  冷蔵装置（冷凍サイクル装置）
４  冷凍装置（冷凍サイクル装置）
１５  空調用室外熱交換器
２２ａ，３２ａ  熱交換流路
２２ｂ，３２ｂ  バイパス流路
２５  冷蔵用室外熱交換器
２５ａ〜２５ｃ  熱交換器ユニット
２７，３７  第一、第二高圧コントロール弁
３５  冷凍用室外熱交換器
３５ａ〜３５ｃ  熱交換器ユニット
４２  室外機
４３  送風装置
５２，５６  冷蔵側、冷凍側冷媒圧力測定装置
５３，５７  第一流量制御弁
５４，５８  第二流量制御弁
５９、６４，７８  制御装置
６２  低圧側圧力測定装置
６３  高圧側圧力測定装置
７２，７３，７６，７７  第一〜第四電磁弁
【図１】
2005241090.tif 000003
【図２】
2005241090.tif 000004
【図３】
2005241090.tif 000005
【図４】
2005241090.tif 000006
【図５】
2005241090.tif 000007
【図６】
2005241090.tif 000008
【図７】
2005241090.tif 000009
【図８】
2005241090.tif 000010
【図９】
2005241090.tif 000011